(57)【特許請求の範囲】
【請求項１】
肯定応答リソースの割振りを可能にする方法であって、
以下の行為を実施するためにプロセッサを採用し、
ダウンリンク制御チャネルインデックスに対応するアップリンクリソースロケーションを識別するためにマッピングを利用することと、
有効性を確認するために前記アップリンクリソースロケーションを評価することと、ここで、混合リソースブロックが前記アップリンクリソースロケーションを含む場合に、前記アップリンクリソースロケーションの評価が実行される、
前記アップリンクリソースロケーションが無効なロケーションであるとき前記マッピングを更新することと
を備える方法。
【請求項２】
前記混合リソースブロック中に含まれる前記アップリンクリソースロケーションが、前記混合リソースブロック中で利用可能なリソースロケーションの所定の数内にあることを検証することをさらに備える、請求項１に記載の方法。
【請求項３】
前記アップリンクリソースロケーションが利用可能なリソースロケーションの前記所定の数よりも大きいとき、前記アップリンクリソースロケーションが無効なロケーションであることを示すことをさらに備える、請求項２に記載の方法。
【請求項４】
前記アップリンクリソースロケーションがリソースロケーションの前記所定の数内にあるとき、前記アップリンクリソースロケーションが有効なロケーションであることを示すことをさらに備える、請求項２に記載の方法。
【請求項５】
前記マッピングを更新することが、第２のダウンリンク制御チャネルインデックスを選択することであり、前記第２のダウンリンク制御チャネルインデックスは前記アップリンクリソースロケーションを識別するために採用された前記ダウンリンク制御チャネルインデックスよりも大きい、請求項１に記載の方法。
【請求項６】
前記第２のダウンリンク制御チャネルインデックスが、前記マッピングに基づく有効なリソースロケーションに対応する、請求項５に記載の方法。
【請求項７】
前記ダウンリンク制御チャネルインデックスに関連付けられた前記アップリンクリソースロケーションが、前記第２のダウンリンク制御チャネルインデックスによって発見された前記有効なリソースロケーションを用いて更新される、請求項６に記載の方法。
【請求項８】
前記アップリンクリソースロケーションを評価することが、前記アップリンクリソースロケーションが、永続的にスケジュールされたモバイルデバイスに割り振られたリソースのセットの一部であるかどうかを確認することを備える、請求項１に記載の方法。
【請求項９】
肯定応答インジケータをシグナリングするために採用するアップリンクリソースロケーションを選択する識別モジュールであって、前記アップリンクリソースロケーションが、ダウンリンク制御チャネルインデックスへの関連付けに少なくとも部分的に基づいて選択される、識別モジュールと、
前記選択されたアップリンクリソースロケーションが有効な肯定応答リソースであるかどうかを検証する検証モジュールと、ここで、前記選択されたアップリンクリソースロケーションが混合リソースブロック中の異種制御情報のために割り振られたリソース要素に対応するとき、前記検証モジュールが、前記選択されたアップリンクリソースロケーションを無効なリソースと指定する、
前記選択されたアップリンクリソースロケーションが無効なリソースロケーションに対応するとき、前記ダウンリンク制御チャネルインデックスと前記選択されたアップリンクリソースロケーションとは異なるアップリンクリソースロケーションとの間に新しい関連付けを発生させる更新モジュールと
を備える装置。
【請求項１０】
前記識別モジュールが、ダウンリンク制御チャネルインデックスとアップリンクリソースロケーションとの間のあらかじめ定義された１対１のマッピングを採用する、請求項９に記載の装置。
【請求項１１】
前記選択されたアップリンクリソースロケーションが、永続的にスケジュールされたモバイルデバイスに割り振られたリソース要素に対応するとき、前記検証モジュールが、前記選択されたアップリンクリソースロケーションを無効なリソースと指定する、請求項９に記載の装置。
【請求項１２】
前記選択されたアップリンクリソースロケーションとは異なるアップリンクリソースロケーションが、動的にスケジュールされたモバイルデバイスからの肯定応答インジケータのために割り振られたリソースロケーションである、請求項９に記載の装置。
【請求項１３】
暗示的リソース割振りを可能にするワイヤレス通信装置であって、
ダウンリンク制御チャネルインデックスに対応するアップリンクリソースロケーションを選択するためにダウンリンクインデックスとアップリンクリソースとの間の１対１のマッピングを採用するための手段と、
前記選択されたアップリンクリソースロケーションを有効なリソースロケーションまたは無効なリソースロケーションの少なくとも１つとして識別するための手段と、ここで、前記選択されたアップリンクリソースロケーションの数が混合リソースブロック中の所定の肯定応答リソースのセットの数よりも大きいとき、前記選択されたアップリンクリソースロケーションが無効なリソースロケーションであり、
ダウンリンク制御チャネルインデックスと無効なリソースロケーションとの間の関連付けを削除するために前記１対１のマッピングを再定義するための手段と
を備えるワイヤレス通信装置。
【請求項１４】
前記選択されたアップリンクリソースロケーションは、半永続的にスケジュールされたモバイルデバイスが利用するために割り当てられた肯定応答リソースのセット内にあるとき、前記選択されたアップリンクリソースロケーションが無効なリソースである、請求項１３に記載のワイヤレス通信装置。
【請求項１５】
プログラムの符号を格納したコンピュータ読み取り可能な格納媒体であって、前記符号が、
少なくとも１つのコンピュータに、スケジュール情報が得られる物理ダウンリンク制御チャネル（ＰＤＣＣＨ）インデックスに対応するアップリンクチャネル上の候補肯定応答リソースを識別するために１対１のマッピングを採用させるための符号と、
前記少なくとも１つのコンピュータに、有効性を確認するために前記候補肯定応答リソースを評価させるための符号と、ここで、前記少なくとも１つのコンピュータに前記候補肯定応答リソースを評価させるための前記符号は、前記候補肯定応答リソースが混合リソースブロック中に含まれるとき、評価させる、
前記少なくとも１つのコンピュータに、無効なときに前記候補肯定応答リソースを削除するために前記１対１のマッピングを再定義させるための符号と
を備えるコンピュータ読み取り可能な格納媒体。
【請求項１６】
前記少なくとも１つのコンピュータに候補肯定応答リソースを評価させるための前記符号が、前記少なくとも１つのコンピュータに、前記混合リソースブロック中の前記候補肯定応答リソースが利用可能な肯定応答リソースの所定のセット内にあることを検証させるための符号をさらに備える、請求項１５に記載のコンピュータ読み取り可能な格納媒体。
【請求項１７】
前記少なくとも１つのコンピュータに候補肯定応答リソースを評価させるための前記符号が、前記少なくとも１つのコンピュータに、前記候補肯定応答リソースが前記所定のセット中に含まれないとき、前記候補肯定応答リソースが無効であることを示させるための符号をさらに備える、請求項１６に記載のコンピュータ読み取り可能な格納媒体。
【請求項１８】
前記少なくとも１つのコンピュータに候補肯定応答リソースを評価させるための前記符号が、前記少なくとも１つのコンピュータに、前記候補肯定応答リソースが前記所定のセット中に含まれるとき、前記候補肯定応答リソースが有効であることを示させるための符号をさらに備える、請求項１６に記載のコンピュータ読み取り可能な格納媒体。
【請求項１９】
前記少なくとも１つのコンピュータに候補肯定応答リソースを評価させるための前記符号が、前記少なくとも１つのコンピュータに、前記候補肯定応答リソースが、永続的にスケジュールされたモバイルデバイスに割り振られたリソースのセットの一部であるかどうかを確認させるための符号をさらに備える、請求項１５に記載のコンピュータ読み取り可能な格納媒体。
【請求項２０】
前記少なくとも１つのコンピュータに前記１対１のマッピングを再定義させるための前記符号が、
前記少なくとも１つのコンピュータに、無効な候補肯定応答リソースに対応する第１のＰＤＣＣＨインデックスを識別させるための符号と、
前記少なくとも１つのコンピュータに、有効な候補肯定応答リソースに対応する、前記第１のＰＤＣＣＨインデックスよりも大きい第２のＰＤＣＣＨインデックスを発見させるための符号と、
前記第１のＰＤＣＣＨインデックスが前記第２のＰＤＣＣＨインデックスに対応する前記有効な候補肯定応答リソースに関連付けられるように、前記少なくとも１つのコンピュータに前記１対１のマッピングを更新させるための符号と
を備える、請求項１５に記載のコンピュータ読み取り可能な格納媒体。
【請求項２１】
特定のＰＤＣＣＨインデックスに対応する候補肯定応答リソースを選択するために物理ダウンリンク制御チャネル（ＰＤＣＣＨ）インデックスと物理アップリンク制御チャネル（ＰＵＣＣＨ）リソースとの間の１対１のマッピングを利用し、
前記候補肯定応答リソースを有効なリソースまたは無効なリソースの１つとして示し、ここで、前記候補肯定応答リソースが混合リソースブロック中の所定の肯定応答リソースのセット内にあるとき、前記候補肯定応答リソースが有効なリソースであり、
ＰＤＣＣＨインデックスと無効なリソースとの間の関連付けを削除するために前記１対１のマッピングを修正する
ように構成されたプロセッサ
を備えるワイヤレス通信装置。
【請求項２２】
前記候補肯定応答リソースは、半永続的にスケジュールされたモバイルデバイスが利用するために割り当てられた肯定応答リソースのセット内にあるとき、前記候補肯定応答リソースが無効なリソースである、請求項２１に記載のワイヤレス通信装置。
【請求項２３】
前記候補肯定応答リソースが混合リソースブロック中の所定の肯定応答リソースのセットのメンバーではないとき、前記候補肯定応答リソースが無効なリソースである、請求項２１に記載のワイヤレス通信装置。
【請求項２４】
前記プロセッサが、前記１対１のマッピングを修正するために、
無効な候補肯定応答リソースに対応する第１のＰＤＣＣＨインデックスを識別し、
有効な候補肯定応答リソースに対応する、前記第１のＰＤＣＣＨインデックスよりも大きい第２のＰＤＣＣＨインデックスを発見し、
前記第１のＰＤＣＣＨインデックスが、前記第２のＰＤＣＣＨインデックスに対応する前記有効な候補肯定応答リソースに関連付けられるように、前記１対１のマッピングを更新する
ようにさらに構成された、請求項２１に記載のワイヤレス通信装置。
【請求項２５】
アップリンク肯定応答リソースを割り振ることを可能にする方法であって、
利用可能な全肯定応答リソースのセットを第１のサブセットと第２のサブセットとに分割することと、
前記第１のサブセットからのリソースを永続的にスケジュールされたモバイルデバイスに割り当てることと、
ダウンリンク制御チャネルインデックスを、前記第２のサブセット中のリソースに暗示的にマッピングする動的にスケジュールされたモバイルデバイスに割り振ることと、
前記第１のサブセットが、永続的にスケジュールされたモバイルデバイスに割り当てられたリソースを含むことを、前記動的にスケジュールされたモバイルデバイスに示すことと、
を備える方法。
【請求項２６】
利用可能な全肯定応答リソースのセットを第１のサブセットと第２のサブセットとに分割することと、前記第１のサブセットからのリソースを永続的にスケジュールされたモバイルデバイスに割り当てることと、ダウンリンク制御チャネルインデックスを、前記第２のサブセット中のリソースに暗示的にマッピングする動的にスケジュールされたモバイルデバイスに割り振ることと、前記第１のサブセットが、永続的にスケジュールされたモバイルデバイスに割り当てられたリソースを含むことを、前記動的にスケジュールされたモバイルデバイスにシグナリングすることに関係する命令を保持するメモリと、
前記メモリに結合され、前記メモリ中に保持された命令を実行するように構成されたプロセッサと
を備える装置。
【請求項２７】
アップリンクリソースを割り振ることを可能にするワイヤレス通信装置であって、
利用可能な全肯定応答リソースのセットを第１のサブセットと第２のサブセットとに分割するための手段と、
前記第１のサブセットからのリソースを永続的にスケジュールされたモバイルデバイスに割り当てるための手段と、
ダウンリンク制御チャネルインデックスを、前記第２のサブセット中のリソースに暗示的にマッピングする動的にスケジュールされたモバイルデバイスに割り振るための手段と、
前記第１のサブセットが、永続的にスケジュールされたモバイルデバイスに割り当てられたリソースを含むことを、前記動的にスケジュールされたモバイルデバイスにシグナリングするための手段と、を備えるワイヤレス通信装置。
【請求項２８】
プログラムの符号を格納したコンピュータ読み取り可能な格納媒体において、前記符号が、
少なくとも１つのコンピュータに、利用可能な全肯定応答リソースのセットを第１のサブセットと第２のサブセットとに分割させるための符号と、
前記少なくとも１つのコンピュータに、前記第１のサブセットからのリソースを永続的にスケジュールされたモバイルデバイスに割り当てさせるための符号と、
前記少なくとも１つのコンピュータに、ダウンリンク制御チャネルインデックスを、前記第２のサブセット中のリソースに暗示的にマッピングする動的にスケジュールされたモバイルデバイスに割り振らせるための符号と、
前記少なくとも１つのコンピュータに、前記第１のサブセットが、永続的にスケジュールされたモバイルデバイスに割り当てられたリソースを含むことを、前記動的にスケジュールされたモバイルデバイスに示させるための符号と、
を備えるコンピュータ読み取り可能な格納媒体。
【請求項２９】
利用可能な全肯定応答リソースのセットを第１のサブセットと第２のサブセットとに分割し、
前記第１のサブセットからのリソースを永続的にスケジュールされたモバイルデバイスに割り当て、
ダウンリンク制御チャネルインデックスを、前記第２のサブセット中のリソースに暗示的にマッピングする動的にスケジュールされたモバイルデバイスに割り振り、
前記第１のサブセットが、永続的にスケジュールされたモバイルデバイスに割り当てられたリソースを含むことを、前記動的にスケジュールされたモバイルデバイスにシグナリングするように構成されたプロセッサ
を備えるワイヤレス通信装置。
【発明の詳細な説明】
【技術分野】
【０００１】
関連出願の相互参照
本出願は、２００８年３月２７日に出願された「UPLINK ACK/NAK RESOURCE ALLOCATION」と題する、米国仮特許出願第６１／０３９，９９４号の利益を主張する。上述の出願の全体は参照により本明細書に組み込まれる。
【０００２】
以下の説明は、一般にワイヤレス通信に関し、より詳細には、ダウンリンク仮想リソースブロックインデックスと混合アップリンク物理リソースブロックのためのアップリンク肯定応答ロケーション(acknowledgment location)との間の暗示的(implicitly)な１対１のマッピングを可能にすることに関する。
【背景技術】
【０００３】
ワイヤレス通信システムは、音声およびデータなど、様々なタイプの通信コンテンツを提供するために広く展開されている。典型的なワイヤレス通信システムは、使用可能なシステムリソース（たとえば、帯域幅、送信電力、．．．）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、これらのシステムは、ｔｈｉｒｄ  ｇｅｎｅｒａｔｉｏｎ  ｐａｒｔｎｅｒｓｈｉｐ  ｐｒｏｊｅｃｔ（３ＧＰＰ）、３ＧＰＰ２、３ＧＰＰ  ｌｏｎｇ  ｔｅｒｍ  ｅｖｏｌｕｔｉｏｎ（ＬＴＥ）などの規格に準拠することができる。
【０００４】
一般に、ワイヤレス多元接続通信システムは、複数のモバイルデバイスのための通信を同時にサポートすることができる。各モバイルデバイスは、順方向リンクおよび逆方向リンク上の伝送を介して１つまたは複数の基地局と通信することができる。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立できる。さらに、ピアツーピアワイヤレスネットワーク構成では、モバイルデバイスは他のモバイルデバイスと（および／または基地局は他の基地局と）通信することができる。
【０００５】
ワイヤレス通信システムは、しばしば、カバレージエリアを与える１つまたは複数の基地局を使用する。典型的な基地局は、ブロードキャスト、マルチキャストおよび／またはユニキャストサービス用の複数のデータストリームを送信することができ、データストリームは、アクセス端末の独立した受信対象となるデータのストリームとすることができる。そのような基地局のカバレージエリア内のアクセス端末が採用されることで、複合ストリームによって搬送される１つ、２つ以上、またはすべてのデータストリームを受信することができる。同様に、アクセス端末はデータを基地局または別のアクセス端末に送信することができる。
【発明の概要】
【０００６】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００７】
一態様による、肯定応答リソース（アクノリッジメント・リソース）の割振りを可能にするための方法について本明細書で説明する。本方法は、ダウンリンク制御チャネルインデックスに対応するアップリンクリソースロケーションを識別するためにマッピングを利用することを備えることができる。本方法はまた、有効性を確認するためにアップリンクリソースロケーションを評価することを含むことができる。さらに、本方法は、アップリンクリソースロケーションが無効なロケーションであるときマッピングを更新することを備えることができる。
【０００８】
本明細書で説明する第２の態様は、装置に関する。本装置は、肯定応答インジケータをシグナリングするために採用するアップリンクリソースロケーションを選択する識別モジュールであって、アップリンクリソースロケーションが、ダウンリンク制御チャネルインデックスへの関連付けに少なくとも部分的に基づいて選択される、識別モジュールを備えることができる。本装置はまた、選択されたアップリンクリソースロケーションが有効な肯定応答リソースであるかどうかを検証（又は立証）する検証（又は立証）モジュールを含むことができる。本装置は、選択されたアップリンクリソースロケーションが無効なリソースロケーションに対応するとき、ダウンリンク制御チャネルインデックスと異種アップリンクリソースロケーションとの間の新しい関連付けを発生させる更新モジュールをさらに備えることができる。
【０００９】
第３の態様は、暗示的リソース割振りを可能にするワイヤレス通信装置に関する。本ワイヤレス通信装置は、ダウンリンク制御チャネルインデックスに対応するアップリンクリソースロケーションを選択するためにダウンリンクインデックスとアップリンクリソースとの間の１対１のマッピングを採用するための手段を備えることができる。本ワイヤレス通信装置はまた、選択されたアップリンクリソースロケーションを有効なリソースロケーションまたは無効なリソースロケーションの少なくとも１つとして識別するための手段を含むことができる。さらに、本ワイヤレス通信装置は、ダウンリンク制御チャネルインデックスと無効なリソースロケーションとの間の関連付けを削除するために１対１のマッピングを再定義するための手段を備えることができる。
【００１０】
本明細書で説明する第４の態様は、少なくとも１つのコンピュータに、スケジュール情報が得られる物理ダウンリンク制御チャネル（ＰＤＣＣＨ）インデックスに対応するアップリンクチャネル上の候補肯定応答リソースを識別するために１対１のマッピングを採用させるための符号を備える、コンピュータ可読媒体を備えることができる、コンピュータプログラム製品に関する。本コンピュータ可読媒体は、少なくとも１つのコンピュータに、有効性を確認するために候補肯定応答リソースを評価させるための符号をさらに含むことができる。さらに、本コンピュータ可読媒体は、少なくとも１つのコンピュータに、無効なときに、候補肯定応答リソースを削除するために１対１のマッピングを再定義させるための符号を備えることができる。
【００１１】
第５の態様は、特定のＰＤＣＣＨインデックスに対応する候補肯定応答リソースを選択するために物理ダウンリンク制御チャネル（ＰＤＣＣＨ）インデックスと物理アップリンク制御チャネル（ＰＵＣＣＨ）リソースとの間の１対１のマッピングを利用するように構成されたプロセッサを備えるワイヤレス通信装置に関する。プロセッサは、候補肯定応答リソースを有効なリソースまたは無効なリソースの１つとして示すようにさらに構成できる。さらに、プロセッサは、ＰＤＣＣＨインデックスと無効なリソースとの間の関連付けを削除するために１対１のマッピングを修正するように構成できる。
【００１２】
別の態様による、アップリンク肯定応答リソースを割り振るための方法について本明細書で説明する。本方法は、利用可能な全肯定応答リソースのセットを第１のサブセットと第２のサブセットとに分割することを備えることができる。本方法はまた、第１のサブセットからのリソースを永続的にスケジュールされたモバイルデバイスに割り当てることを含むことができる。さらに、本方法は、ダウンリンク制御チャネルインデックスを、第２のサブセット中のリソースに暗示的にマッピングする動的にスケジュールされたモバイルデバイスに割り振ることを備えることができる。
【００１３】
さらに別の態様は、利用可能な全肯定応答リソースのセットを第１のサブセットと第２のサブセットとに分割することと、第１のサブセットからのリソースを永続的にスケジュールされたモバイルデバイスに割り当てることと、ダウンリンク制御チャネルインデックスを、第２のサブセット中のリソースに暗示的にマッピングする動的にスケジュールされたモバイルデバイスに割り振ることとに関係する命令を保持するメモリを備える装置に関する。本装置はまた、メモリに結合され、メモリ中に保持された命令を実行するように構成されたプロセッサを備えることができる。
【００１４】
さらに別の態様は、アップリンクリソースを割り振ることを可能にするワイヤレス通信装置に関する。本ワイヤレス通信装置は、利用可能な全肯定応答リソースのセットを第１のサブセットと第２のサブセットとに分割するための手段を備えることができる。本ワイヤレス通信装置は、第１のサブセットからのリソースを永続的にスケジュールされたモバイルデバイスに割り当てるための手段をさらに含むことができる。さらに、本ワイヤレス通信装置は、ダウンリンク制御チャネルインデックスを、前記第２のサブセット中のリソースに暗示的にマッピングする動的にスケジュールされたモバイルデバイスに割り振るための手段を備えることができる。
【００１５】
本明細書で説明する追加の態様は、コンピュータ可読媒体を備えることができるコンピュータプログラム製品に関する。コンピュータ可読媒体は、少なくとも１つのコンピュータに、利用可能な全肯定応答リソースのセットを第１のサブセットと第２のサブセットとに分割させるための符号を備えることができる。コンピュータ可読媒体はまた、少なくとも１つのコンピュータに、第１のサブセットからのリソースを永続的にスケジュールされたモバイルデバイスに割り当てさせるための符号を含むことができる。さらに、コンピュータ可読媒体は、少なくとも１つのコンピュータに、ダウンリンク制御チャネルインデックスを、第２のサブセット中のリソースに暗示的にマッピングする動的にスケジュールされたモバイルデバイスに割り振らせるための符号を備えることができる。
【００１６】
本明細書で説明するさらなる態様は、利用可能な全肯定応答リソースのセットを第１のサブセットと第２のサブセットとに分割し、第１のサブセットからのリソースを永続的にスケジュールされたモバイルデバイスに割り当て、ダウンリンク制御チャネルインデックスを、第２のサブセット中のリソースに暗示的にマッピングする動的にスケジュールされたモバイルデバイスに割り振り、第１のサブセットが永続的にスケジュールされたモバイルデバイスに割り当てられたリソースを含むことを、動的にスケジュールされたモバイルデバイスにシグナリングするように構成されたプロセッサを備えるワイヤレス通信装置に関する。
【００１７】
上記および関連する目的を達成するために、１つまたは複数の実施形態は、以下で十分に説明し、特に特許請求の範囲で指摘する特徴を備える。以下の説明および添付の図面に、１つまたは複数の実施形態のいくつかの例示的な態様を詳細に示す。ただし、これらの態様は、様々な実施形態の原理を使用する様々な方法のほんのいくつかを示すものであり、説明する実施形態は、すべてのそのような態様およびそれらの均等物を含むものとする。
【図面の簡単な説明】
【００１８】
【図１】本明細書に記載の様々な態様によるワイヤレス通信システムを示す図。
【図２】混合リソースブロック中の肯定応答リソースの割振りを可能にする例示的なシステムの図。
【図３】動的にスケジュールされたデバイスおよび永続的にスケジュールされたデバイスのための混合リソースブロック中の肯定応答リソースの割振りを可能にする例示的なワイヤレス通信システムの図。
【図４】動的にスケジュールされたデバイスの存在下で永続的にスケジュールされたデバイスのための肯定応答リソースの割当てを可能にする例示的なシステムの図。
【図５】暗示的な１対１のマッピングに基づいてアップリンク肯定応答リソースを識別することを可能にする例示的な方法の図。
【図６】アップリンク肯定応答リソースの暗示的および／または明示的な割振りを可能にする例示的な方法の図。
【図７】マッピングによってアップリンク肯定応答リソースを識別することを可能にする例示的なシステムの図。
【図８】動的にスケジュールされたモバイルデバイスおよび永続的にスケジュールされたモバイルデバイスへのアップリンク肯定応答リソースの割振りを可能にする例示的なシステムの図。
【図９】本明細書に記載の様々なシステムおよび方法とともに使用できる例示的なワイヤレスネットワーク環境の図。
【図１０】アップリンク肯定応答リソースの識別を可能にする例示的なシステムの図。
【図１１】１つまたは複数のモバイルデバイスへのアップリンクリソースの割振りを可能にする例示的なシステムの図。
【発明を実施するための形態】
【００１９】
次に、図面を参照しながら様々な実施形態について説明する。図面全体にわたって、同様の要素を指すのに同様の参照符号を使用する。以下の記述では、説明の目的で、１つまたは複数の実施形態の完全な理解を与えるために多数の具体的な詳細を記載する。ただし、そのような（１つまたは複数の）実施形態は、これらの具体的な詳細なしに実施できることは明らかであろう。他の例では、１つまたは複数の実施形態の説明を円滑にするために、よく知られている構造およびデバイスをブロック図の形態で示す。
【００２０】
本出願で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム内、および／または他のシステムを用いるインターネットなどのネットワーク全体の中の別の構成要素と信号を介して相互作用する１つの構成要素からのデータ）を有する信号によるなど、ローカルおよび／またはリモートプロセスを介して通信することができる。
【００２１】
さらに、様々な実施形態について、モバイルデバイスに関して本明細書で説明する。モバイルデバイスは、システム、加入者ユニット、加入者局、移動局、モバイル、リモート局、リモート端末、アクセス端末、ユーザ端末、端末、ワイヤレス通信デバイス、ユーザエージェント、ユーザデバイス、またはユーザ機器（ＵＥ）とも呼ばれることがある。モバイルデバイスは、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスとすることができる。さらに、様々な実施形態について、基地局に関して本明細書で説明する。基地局は、（１つまたは複数の）モバイルデバイスと通信するために利用でき、アクセスポイント、ノードＢ、発展型ノードＢ（ｅノードＢもしくはｅＮＢ）、送受信基地局（ＢＴＳ）または何らかの他の用語で呼ばれることもある。
【００２２】
さらに、本明細書で説明する様々な態様または特徴は、標準のプログラミングおよび／またはエンジニアリング技法を使用した方法、装置、または製造品として実装できる。本明細書で使用する「製造品」という用語は、任意のコンピュータ可読デバイス、キャリア、または媒体からアクセス可能なコンピュータプログラムを包含するものとする。たとえば、コンピュータ可読媒体は、磁気記憶デバイス（たとえば、ハードディスク、フロッピー（登録商標）ディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレスチャネル、ならびに（１つまたは複数の）命令および／またはデータを記憶、含有、および／または搬送することが可能な様々な他の媒体を含むことができるが、これらに限定されない。
【００２３】
本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数領域多重（ＳＣ−ＦＤＭＡ）および他のシステムなど、様々なワイヤレス通信システムに対して使用できる。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。ＣＤＭＡ２０００は、ＩＳ−２０００、ＩＳ−９５、およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳの今度のリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織の文書に記載されている。
【００２４】
ここで図１を参照すると、本明細書で提示する様々な実施形態によるワイヤレス通信システム１００が示されている。システム１００は、複数のアンテナグループを含むことができる基地局１０２を備える。たとえば、１つのアンテナグループはアンテナ１０４および１０６を含み、別のグループはアンテナ１０８および１１０を備え、さらなるグループはアンテナ１１２および１１４を含むことができる。アンテナグループごとに２つのアンテナが示されているが、グループごとにより多いまたはより少ないアンテナを利用することができる。基地局１０２は、さらに、送信機チェーンおよび受信機チェーンを含むことができ、送信機チェーンおよび受信機チェーンの各々は、当業者なら諒解するように、信号送信および受信に関連する複数の構成要素（たとえば、プロセッサ、変調器、マルチプレクサ、復調器、デマルチプレクサ、アンテナなど）を備えることができる。
【００２５】
基地局１０２は、モバイルデバイス１１６およびモバイルデバイス１２２など１つまたは複数のモバイルデバイスと通信することができるが、基地局１０２は、モバイルデバイス１１６および１２２と同様の実質的にいかなる数のモバイルデバイスとも通信することができることを諒解されたい。モバイルデバイス１１６および１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための他の適切なデバイスとすることができる。図示のように、モバイルデバイス１１６は、アンテナ１１２および１１４と通信しており、アンテナ１１２および１１４は、順方向リンク１１８を介して情報をモバイルデバイス１１６に送信し、逆方向リンク１２０を介してモバイルデバイス１１６から情報を受信する。さらに、モバイルデバイス１２２は、アンテナ１０４および１０６と通信しており、アンテナ１０４および１０６は、順方向リンク１２４を介して情報をモバイルデバイス１２２に送信し、逆方向リンク１２６を介してモバイルデバイス１２２から情報を受信する。周波数分割複信（ＦＤＤ）システムでは、たとえば、順方向リンク１１８は、逆方向リンク１２０によって使用される周波数帯とは異なる周波数帯を利用し、順方向リンク１２４は、逆方向リンク１２６によって使用される周波数帯とは異なる周波数帯を使用することができる。さらに、時分割複信（ＴＤＤ）システムでは、順方向リンク１１８および逆方向リンク１２０は、順方向リンク１２４および逆方向リンク１２６が利用することができるのと共通の周波数帯を利用することができる。
【００２６】
アンテナの各グループおよび／またはそれらが通信するように指定されたエリアを、基地局１０２のセクタと呼ぶことができる。たとえば、基地局１０２によってカバーされるエリアのセクタ中のモバイルデバイスに通信するようにアンテナグループを設計することができる。順方向リンク１１８および１２４を介した通信では、基地局１０２の送信アンテナは、モバイルデバイス１１６および１２２についての順方向リンク１１８および１２４の信号対雑音比を向上させるためにビームフォーミングを利用することができる。これは、たとえば、信号を所望の方向にステアリングするためにプリコーダを使用することによって行うことができる。さらに、基地局１０２が、関連するカバレージ中に不規則に散在するモバイルデバイス１１６および１２２に送信するためにビームフォーミングを利用する間は、基地局が単一のアンテナを介してその基地局のすべてのモバイルデバイスに送信する場合と比較して、隣接セル内のモバイルデバイスは干渉を受けにくい。さらに、モバイルデバイス１１６および１２２は、一例ではピアツーピアまたはアドホック技術を使用して互いに直接通信することができる。さらに、システム１００は、ＦＤＤ、ＴＤＤなど、通信チャネル（たとえば、順方向リンク、逆方向リンク、．．．）を分割する実質的にどんなタイプの複信技法でも利用することができる。
【００２７】
別の例によれば、システム１００は多入力多出力（ＭＩＭＯ）通信システムとすることができる。ＭＩＭＯシステムは、データ送信用の複数（ＮＴ）個の送信アンテナおよび複数（ＮＲ）個の受信アンテナを使用する。ＮＴ個の送信アンテナとＮＲ個の受信アンテナとによって形成されるＭＩＭＯチャネルは、空間チャネルと呼ばれることがあるＮＳ個の独立チャネルに分解でき、ここで、ＮＳ＜｛ＮＴ，ＮＲ｝である。ＮＳ個の独立チャネルの各々は１つの次元に対応する。さらに、複数の送信アンテナおよび受信アンテナによって生成された追加の次元数が利用された場合、ＭＩＭＯシステムは改善されたパフォーマンス（たとえば、増加したスペクトル効率、より高いスループット、および／またはより大きい信頼性）を与えることができる。
【００２８】
一態様では、モバイルデバイス１１６および１２２は基地局１０２に肯定応答インジケータを送信することができる。肯定応答インジケータにより、モバイルデバイス１１６および１２２はベースステーション１０２からのダウンリンク送信またはパケットの受信をシグナリングすることができる。たとえば、ダウンリンク送信が正常に受信され、復号されたとき、モバイルデバイス１１６および１２２は基地局１０２に肯定応答（ＡＣＫ）を送信することができる。さらに、ダウンリンク送信またはパケットが正常に受信または復号されなかったとき、モバイルデバイス１１６および１２２は否定応答（ＮＡＫ）をシグナリングすることができる。一態様によれば、モバイルデバイス１１６および１２２は、ＡＣＫまたはＮＡＫを示すためにアップリンクチャネル上でリソースまたはロケーションを利用することができる。ロケーションはダウンリンク割振りに基づいて選択できる。たとえば、モバイルデバイス１１６は、モバイルデバイス１１６に割り振られたダウンリンク１１８上のリソースの特性に基づいてアップリンク１２０のロケーション（たとえば、時間、周波数、符号などにおけるリソースロケーション）において肯定応答メッセージを基地局１０２に送信することができる。
【００２９】
一態様によれば、ダウンリンクチャネルのインデックスと、肯定応答のためのアップリンクチャネル中のリソースロケーションとの間に、１対１の暗示的マッピングを生成することができる。動的にスケジュールされたモバイルデバイスは、１対１のマッピングを使用して肯定応答ロケーションを識別することができる。動的にスケジュールされたモバイルデバイスは、送信時間間隔（ＴＴＩ）ごとにスケジュール情報を得る。特定のダウンリンク送信を肯定応答するために、モバイルデバイスは、特定のダウンリンク送信用のスケジュール情報をモバイルデバイスに搬送するために使用されるダウンリンク制御チャネルインデックス（たとえば、モバイルデバイスに関連する制御チャネル要素のインデックス）にマッピングされたアップリンクリソースロケーションを利用することができる。
【００３０】
一態様では、アップリンク制御情報は、肯定応答インジケータの他にチャネル品質インジケータを含むことができる。そのような状況では、通常ならば肯定応答のために利用可能なリソースロケーションは、チャネル品質インジケータのために利用される。１対１のマッピングは、チャネル品質インジケータによって使用されるリソースを反映するように更新できる。たとえば、１対１のマッピングを利用して、ダウンリンク制御チャネルインデックスに基づいてリソースロケーションを識別することができる。リソースロケーションを有効性について評価することができる。有効なリソースロケーションは、肯定応答用に利用可能なロケーションである。無効なリソースロケーションは、チャネル品質インジケータ用に割り当てられたロケーションである。ダウンリンク制御チャネルインデックスが、無効なリソースにマッピングするとき、１対１のマッピングを更新することができる。マッピングは、ダウンリンク制御チャネルインデックスを有効なリソースロケーションに関連付けるように再定義できる。
【００３１】
別の態様では、モバイルデバイスは半永続的にスケジュールできる。半永続的にスケジュールされたモバイルデバイスは、２つ以上のＴＴＩにわたって有効なままであるスケジュール情報（たとえば、リソース割当て）を得る。したがって、半永続的割当てが最初に発行されるとき、半永続的にスケジュールされたモバイルデバイスへのダウンリンク送信には、対応するダウンリンク制御チャネル送信が伴う。半永続的にスケジュールされたモバイルデバイスは、半永続的許可を確立するスケジュール情報中に指定されたリソースを利用してダウンリンク送信に対応する肯定応答インジケータをシグナリングすることができる。
【００３２】
例によれば、モバイルデバイス１１６は基地局１０２によって動的にスケジュールされ、モバイルデバイス１２２は基地局１０２によって半永続的にスケジュールできる。基地局１０２からのダウンリンク送信を肯定応答（または否定応答）するために、モバイルデバイス１１６は、暗示的にマッピングされたアップリンクリソースを利用し、モバイルデバイス１２２は、スケジュール情報中に明示的に指定されたリソースを使用する。（動的にスケジュールされた）モバイルデバイス１１６および（永続的にスケジュールされた）モバイルデバイス１２２からの肯定応答インジケータは、様々な機構に従って多重化できる。たとえば、基地局１０２は、衝突を回避するようにモバイルデバイス１１６および１２２をスケジュールすることができる。モバイルデバイス１１６は、暗示的な１対１のマッピングを使用し続け、モバイルデバイス１１２は、割り当てられたアップリンクリソースを利用し続けることができる。基地局１０２は、モバイルデバイス１２２に明示的に割り当てられたリソースにマッピングするダウンリンクインデックスが、モバイルデバイス１１６に動的スケジュール情報をシグナリングするためには利用されないことを保証することができる。別の例では、モバイルデバイス１１６および１２２は、衝突を回避するために協調することができる。肯定応答インジケータの利用可能な全リソースのセットを２つのサブセットに分割することができる。１つのサブセットは、動的にスケジュールされたモバイルデバイスに関連し（たとえば、暗示的(implicitly)に割り当てられたリソース）、１つのサブセットは、永続的にスケジュールされたモバイルデバイスに関連することができる。モバイルデバイス１２２は、永続的にスケジュールされたユーザに関連するサブセット中のリソースを使用することができる。モバイルデバイス１１６は、上述のように暗示的な１対１のマッピングを利用することができる。さらに、モバイルデバイス１１６は、無効なリソースロケーション（たとえば、チャネル品質インジケータ用に割り当てられたロケーション）を回避するためにマッピングをプルーニングすることができる。その上、モバイルデバイス１１６は、永続的ユーザに指定されたサブセット内のリソースロケーションへのマッピングを回避するためにマッピングをさらに更新することができる。
【００３３】
図２を参照すると、肯定応答インジケータのためのアップリンクリソース割振りを可能にするワイヤレス通信システム２００が示されている。システム２００は、ユーザ機器（ＵＥ）２０４と通信することができる基地局２０２（および／または任意の数の異種デバイス（図示せず））を含む。基地局２０２は、順方向リンクチャネルまたはダウンリンクチャネルを介してＵＥ２０４に情報を送信することができる。さらに、基地局２０２は、逆方向リンクまたはアップリンクチャネルを介してＵＥ２０４から情報を受信することができる。その上、システム２００はＭＩＭＯシステムとすることができる。さらに、システム２００は、（たとえば、３ＧＰＰ、３ＧＰＰ２、ＬＴＥなどの）ＯＦＤＭＡワイヤレスネットワークにおいて動作することができる。基地局２０２は、図１を参照しながら上述した基地局１０２と実質的に同様とし、基地局１０２と同様の機能を実行することができることを諒解されたい。さらに、ＵＥ２０４は、同じく図１に関して説明したモバイルデバイス１１６および１２２と同様の機能を提供することができる。
【００３４】
基地局２０２は、ＵＥ２０４などの１つまたは複数のモバイルデバイスのアップリンクおよび／またはダウンリンクスケジューリングを実行するスケジューラ２０６を含む。ダウンリンク上で、スケジューラ２０６は、リソースブロックに関してＵＥ２０４にデータを割り振る。たとえば、ＬＴＥベースのシステムでは、１つのリソースブロックは、周波数領域、および時間領域中の１スロット（たとえば、６つまたは７つのＯＦＤＭシンボル）中に１２個のサブキャリアを含む。リソース要素またはリソースロケーションは、周波数インデックス（たとえば、副搬送波インデックス）とシンボルインデックスとを含むタプルである。ダウンリンク上で、割り振られたリソースブロックは、ダウンリンク制御情報と、ユーザデータとを含むことができる。ダウンリンク制御情報は物理ダウンリンク制御チャネル（ＰＤＣＣＨ）上でシグナリングし、ユーザデータは物理ダウンリンク共有チャネル（ＰＤＳＣＨ）上でシグナリングできる。ダウンリンク制御情報は、たとえば、上記で説明したようなスケジュール情報を含むことができる。一態様によれば、ＵＥ２０４に関連するＰＤＣＣＨのスケジュール情報は、ＵＥ２０４に割り振られたリソースブロック中に含まれるリソース上でシグナリングできる。ＰＤＣＣＨは、制御チャネル要素（ＣＣＥ）（たとえば、リソース要素のグループ）によって特徴づけられ、１つまたは複数のＣＣＥは、ダウンリンクチャネル情報をＵＥ２０４に搬送するために使用できる。
【００３５】
一態様によれば、スケジューラ２０６はＵＥ２０４を動的にスケジュールすることができる。ＵＥ２０４は、動的にスケジュールされるとき、送信時間間隔（ＴＴＩ）ごとにスケジュール情報を得る。たとえば、ＬＴＥベースのシステムでは、ＵＥ２０４は１ｍｓごとに（たとえば、サブフレームごとに）スケジュール情報を受信することができる。したがって、ＵＥ２０４は、ＰＤＳＣＨ（たとえば、ユーザデータ）とＰＤＣＣＨ（たとえば、ダウンリンク制御情報）とを含むダウンリンクサブフレームを受信する。一態様では、ＵＥ２０４はダウンリンク上でユーザデータ（たとえば、ＰＤＳＣＨ）を受信する。ＵＥ２０４は、ユーザデータが正常に受信され、復号されたか否かを通知するための肯定応答インジケータ（たとえば、ＡＣＫまたはＮＡＫ）を基地局２０２にシグナリングする。たとえば、ＵＥ２０４は、肯定応答インジケータをシグナリングするために物理アップリンク制御チャネル（ＰＵＣＣＨ）を使用する。さらに、ＵＥ２０４は、肯定応答インジケータのために物理アップリンク共有チャネル（ＰＵＳＣＨ）を利用することができることを諒解されたい。たとえば、ＵＥ２０４は、肯定応答インジケータを、アップリンク上で送信されるユーザデータと多重化することができる。
【００３６】
一態様では、ＵＥ２０４は、肯定応答インジケータ用に利用すべきＰＵＣＣＨのリソースロケーションを識別するために１対１のマッピングを使用する暗示的マッピングモジュール２０８を含む。この１対１のマッピングは、ＰＤＣＣＨインデックスを肯定応答リソースロケーションに関連付ける。たとえば、リソースロケーションは、アップリンクリソースブロックインデックス、時間変動巡回シフト、および直交カバーに関して提示できる。さらに、ＰＤＣＣＨインデックスは、特定のユーザ用のＰＤＣＣＨを構築するために利用される第１のＣＣＥのインデックスによって示すことができる。たとえば、特定のモバイルデバイス用のＰＤＣＣＨインデックスは、そのモバイルデバイス用のＰＤＤＣＨを構築するために使用される第１のＣＣＥのインデックスも１である場合に、１とすることができる。
【００３７】
一例によれば、暗示的な１対１のマッピングは次のように定義できる。アップリンクリソースブロック中で利用可能な個々の肯定応答（ＡＣＫ）リソースの数ｍは、アップリンクリソースブロック中の巡回シフト／直交カバーの組合せの数に等しいとすることができる。ｍを仮定すれば、ＰＤＣＣＨインデックスｉ、アップリンクリソースブロックインデックスｂ、およびＡＣＫリソースインデックスｋは以下のように定義できる。
【数１】
0005431447.tif 000002
【００３８】
上式で、ＮＰＤＣＣＨはＰＤＣＣＨインスタンスの数を表す。アップリンクリソースブロックｂの第ｋのＡＣＫリソースから第ｉのＰＤＣＣＨインデックスへのマッピングは、以下によって決定できる。
【数２】
0005431447.tif 000003
【００３９】
このマッピングによれば、アップリンクＡＣＫリソースロケーション（ｂ，ｋ）を仮定すれば、ＰＤＣＣＨインデックスｉを決定することができる。
【００４０】
別の例によれば、ＰＤＣＣＨインデックス（ｉ）を仮定すれば、リソースロケーション（ｂ，ｋ）を確定することができる。たとえば、以下の関係式に従ってリソースブロックインデックスｂ、およびＡＣＫリソースインデックスｋを決定することができる。
【数３】
0005431447.tif 000004
【００４１】
さらに、別の例によれば、ＡＣＫリソースインデックスｋに対する、特定の直交カバーｗ（ｎ）、および巡回シフトａ（ｎ）を次のように確定することができる。
【数４】
0005431447.tif 000005
【００４２】
この例によれば、ｊはセルインデックスであり、ｎはｋに対応するＬＦＤＭシンボルインデックスであり、ｐｊ（ｋ，ｎ）は、セルｊ中のインデックスｋに対する巡回シフトのホッピングパターンを表し、ｒｊ（ｋ，ｎ）は、セルｊ中のインデックスｋに対する直交カバーのホッピングパターンを表す。
【００４３】
一態様では、暗示的マッピングモジュール２０８は、肯定応答インジケータ用に利用すべきリソースロケーションを識別するために上述のようにマッピングを使用することができる。たとえば、リソースブロック（たとえば、ｍ＝４）当たり４つのＡＣＫリソースと４つのＰＤＣＣＨインデックス（たとえば、ＮＰＤＣＣＨ＝４）とをもつ一例を考察する。ＵＥ２０４は、全体的に極めて低いＣＣＥ上で制御情報を受信することができる（たとえば、ｉ＝０）。暗示的マッピングモジュール２０８は、対応するダウンリンクデータ送信の肯定応答インジケータをシグナリングするために、ＵＥ２０４によって使用されるべき第１のアップリンクリソースブロック（ｂ＝０）の第１のＡＣＫリソース（たとえば、ｋ＝０）を識別することができる。他のマッピングを使用することができ、本明細書で開示する主題は上記で説明したマッピングの例に限定されないことを諒解されたい。
【００４４】
別の態様によれば、アップリンクリソースブロックは、混合リソースブロックとし、肯定応答インジケータに加えて他のアップリンク制御シグナリングへのリソース要素の割振りを含むことができる。たとえば、チャネル品質インジケータ（ＣＱＩ）は、肯定応答インジケータと同じリソースブロックに割り振ることができる。一例では、上位層は、ＣＱＩのための混合リソースブロックのリソースを割り当て、そのようなＣＱＩ割当てリソースは、以前はＡＣＫ用に利用可能であったリソースに対応することができる。暗示的マッピングモジュール２０８は１対１のマッピングをプルーニングすることができる。暗示的マッピングモジュール２０８は、ＣＱＩまたは他の制御シグナリング用に割り当てられたリソースロケーションである無効なリソースに解決されたマッピングエントリを更新することができる。一態様では、暗示的マッピングモジュール２０８は、無効なリソースから有効なリソースにＰＤＣＣＨインデックスのマッピングを再定義することによってマッピングエントリを更新する。たとえば、暗示的マッピングモジュール２０８は、有効なリソースロケーションを特定のＰＤＣＣＨインデックスに割り当てることができる。
【００４５】
一例によれば、暗示的マッピングモジュール２０８は、ＰＤＣＣＨインデックスにわたって反復し、必要に応じて、暗示的な１対１のマッピングをプルーニングして混合リソースブロックを収容するようにマッピングを更新することができる。たとえば、暗示的マッピングモジュール２０８は、第１のＰＤＣＣＨインデックス（たとえば、ｉ＝０）、および０に設定された反復値ｎで開始することができる。暗示的マッピングモジュール２０８は、対応する肯定応答リソースロケーションを識別するために１対１のマッピングを使用することができる。対応する肯定応答リソースロケーションは、アップリンクリソースブロックインデックスと、アップリンクリソースブロックインデックス内の肯定応答リソースインデックスとを含む。識別されたアップリンクリソースブロックインデックスが、正則（たとえば、非混合）リソースブロックインデックスに対応する場合、肯定応答リソースロケーションは有効である。識別されたリソースブロックインデックスが混合リソースブロックインデックスに対応する場合、ロケーションが肯定応答インジケータ用に割り振られているかどうかに関する判断を行う。たとえば、識別された肯定応答リソースインデックスに対応する直交カバーおよび巡回シフトを評価することができる。巡回シフトが、混合リソースブロック中の肯定応答インジケータ用に確保された巡回シフトの数よりも少ないとき、リソースロケーションは有効であると宣言される。他の場合、リソースロケーションは無効である。
【００４６】
識別されたリソースロケーションが有効であるとき、ロケーションは、反復中に使用されるＰＤＣＣＨインデックスｉに割り当てられる。さらに、反復値ｎが増分される。識別されたリソースロケーションが無効であるとき、暗示的マッピングモジュール２０８は、１対１のマッピングを使用して、ｉ’がｉよりも大きく、有効なリソースロケーションにマッピングする後続のＰＤＣＣＨインデックスｉ’を発見する。発見された有効なリソースロケーションは、元のＰＤＣＣＨインデックスｉに割り当てられ、反復値ｎは、有効なリソースロケーションを発見するために使用される後続のＰＤＣＣＨインデックスｉ’に基づいて更新される。暗示的マッピングモジュール２０８は、すべての利用可能な肯定応答リソースがＰＤＣＣＨインデックスに割り当てられるまで、次のＰＤＣＣＨインデックス（たとえば、ｉ＋１）を用いて繰り返すことができる。
【００４７】
別の態様によれば、スケジューラ２０６は、ＵＥ２０４を半永続的にスケジュールすることができる。ＵＥ２０４は、半永続的にスケジュールされるとき、２つ以上のＴＴＩに対してアクティブなままであるスケジュール情報を得る。たとえば、ＬＴＥベースのシステムにおいて、ＵＥ２０４は、そうでないと通知されるまで、第ｎのＴＴＩごとにアクティブであるリソース割振りを指定するスケジュール情報を受信することができる。したがって、ＵＥ２０４は、半永続的にスケジュールされるとき、ＰＤＳＣＨ（たとえば、ユーザデータ）を含むが必ずしもＰＤＣＣＨ（たとえば、ダウンリンク制御情報）を含むわけではないダウンリンクサブフレームを受信する。ＵＥ２０４は、ダウンリンク上でユーザデータ（たとえば、ＰＤＳＣＨ）を受信する。ＵＥ２０４は、ユーザデータが正常に受信され、復号されたか否かを通知するための肯定応答インジケータ（たとえば、ＡＣＫまたはＮＡＫ）を基地局２０２にシグナリングする。たとえば、ＵＥ２０４は、肯定応答インジケータをシグナリングするために物理アップリンク制御チャネル（ＰＵＣＣＨ）を使用する。さらに、ＵＥ２０４は、肯定応答インジケータのために物理アップリンク共有チャネル（ＰＵＳＣＨ）を利用することができることを諒解されたい。たとえば、ＵＥ２０４は、肯定応答インジケータを、アップリンク上で送信されるユーザデータと多重化することができる。
【００４８】
一態様では、ＵＥ２０４は、肯定応答インジケータ用に利用すべきＰＵＣＣＨのリソースロケーションを識別する永続的マッピングモジュール２１０を含む。一例では、永続的マッピングモジュール２１０は、リソースロケーションを抽出するためにスケジュール情報を評価することができる。ＵＥ２０４を半永続的にスケジュールするとき、スケジューラ２０６は肯定応答リソースの明示的割振りを含むことができる。スケジューラ２０６は、明示的に割り振られたリソースが、ＰＤＣＣＨインデックスから暗示的にマッピングされたリソースと一致しないことを保証することができる。たとえば、スケジューラ２０６は、半永続的にスケジュールされたユーザに明示的に割り振られた肯定応答リソースに対応するＰＤＣＣＨインデックスを利用するのを控えることができる。
【００４９】
別の例によれば、暗示的マッピングモジュール２０８および永続的マッピングモジュール２１０は、衝突が起こらないように、動的にスケジュールされたユーザからの肯定応答インジケータと半永続的ユーザからの肯定応答インジケータとを多重化するように相互動作することができる。利用可能な肯定応答リソースの全セットは、２つのサブセット、すなわち動的にスケジュールされたユーザ用のサブセットと、永続的にスケジュールされたユーザ用のサブセットとに分割できる。永続的マッピングモジュール２１０は、関連するサブセット内のスケジューラ２０６によって明示的に割り振られたリソースロケーションを識別することができる。加えて、暗示的マッピングモジュール２０８は、半永続的サブセット中の肯定応答リソースを除外するために１対１のマッピングをさらにプルーニングすることができる。たとえば、暗示的マッピングモジュール２０８は、サブセットに対してリソースロケーションを検証し、半永続的サブセットをもつリソースロケーションが無効であると宣言することができる。暗示的マッピングモジュール２０８は、上述のように（１つまたは複数の）無効なロケーションを更新することができる。したがって、一例では、肯定応答リソースの分割はスケジューラ２０６のみに対して知られており、スケジューラ２０６が衝突を防止する。別の例では、ＵＥ２０４が、分割方式を知っており、衝突を防止するために暗示的な１対１のマッピングをさらにプルーニングする。
【００５０】
さらに、図示されていないが、基地局２０２は、モバイルデバイスを動的にスケジュールすること、モバイルデバイスを半永続的にスケジュールすること、半永続的にスケジュールされたモバイルデバイスに肯定応答リソースを明示的に割り振ることなどに関する命令を保持するメモリを含むことができるのを諒解されたい。さらに、メモリは、アップリンク上で肯定応答リソースを分割すること、ならびに肯定応答衝突を防止するために動的および半永続的モバイルデバイスをスケジュールすることに関係する命令を保持することができる。さらに、基地局２０２は、命令（たとえば、メモリ内に保持された命令、異種ソースから得られた命令、．．．）を実行することに関して利用できるプロセッサを含むことができる。
【００５１】
さらに、ＵＥ２０４は、ダウンリンク制御チャネルインデックスを肯定応答リソースロケーションに暗示的にマッピングすること、スケジュール情報から肯定応答リソースロケーションを抽出すること、混合リソースブロックのために１対１のマッピングをプルーニングすることなどに関する命令を保持するメモリを含むことができることをも諒解されたい。さらに、メモリは、永続的にスケジュールされたモバイルデバイスを対象とする肯定応答リソースを除外するために１対１のマッピングを更新することに関係する命令を含むことができる。さらに、ＵＥ２０４は、命令（たとえば、メモリ内に保持された命令、異種ソースから得られた命令、．．．）を実行することに関して利用できるプロセッサを含むこともできる。
【００５２】
図３に、動的にスケジュールされたデバイスおよび永続的にスケジュールされたデバイスのための混合リソースブロック中の肯定応答リソースの割振りを可能にするワイヤレス通信システム３００を示す。システム３００は、ダウンリンクを介してユーザ機器（ＵＥ）２０４に情報を送信する基地局２０２を含む。さらに、ＵＥ２０４は、アップリンクを介して基地局２０２に情報を送信することができる。システム２００と同様に、システム３００はＭＩＭＯシステムおよび／またはＬＴＥベースの通信システムとすることができる。さらに、基地局２０２およびＵＥ２０４は、図２を参照しながら上述した基地局２０２およびＵＥ２０４と実質的に同様とし、および／またはそれらと同様の機能を提供することができることを諒解されたい。
【００５３】
基地局２０２は、基地局２０２によってサービスされるＵＥ２０４および／または他のモバイルデバイス（図示せず）にダウンリンクおよびアップリンクリソースを割り振ることができるスケジューラ２０６を含む。たとえば、スケジューラ２０６は、ダウンリンク上の１つまたは複数のリソースブロック、およびアップリンク上の１つまたは複数のリソースブロックをＵＥ２０４に割り当てることができる。一態様によれば、スケジューラ２０６はＵＥ２０４を動的にスケジュールすることができる。動的にスケジュールされるとき、ＵＥ２０４は、ＴＴＩごとにスケジュール情報を得る。スケジュール情報は、物理ダウンリンク制御チャネル（ＰＤＣＣＨ）上で送信し、１つまたは複数の制御チャネル要素（ＣＣＥ）中に配置できる。特定のユーザ用のＰＤＣＣＨを構築するために使用される最も低いＣＣＥインデックスは、ダウンリンクＰＤＣＣＨインデックスとして利用できる。ダウンリンクＰＤＣＣＨインデックスを利用して、肯定応答インジケータ（たとえば、ＡＣＫまたはＮＡＫ）をシグナリングするために使用すべきアップリンク上のリソースを識別することができる。
【００５４】
ＵＥ２０４は、アップリンク上の肯定応答リソースの識別を可能にする暗示的マッピングモジュール２０８を含む。暗示的マッピングモジュール２０８は、アップリンク上の肯定応答リソースに対するＰＤＣＣＨインデックスの１対１のマッピングを使用することができる。たとえば、ＵＥ２０４は、１対１のマッピングの利用によって特定のダウンリンク送信に肯定応答することができる。ダウンリンク送信は、ＰＤＣＣＨ上でシグナリングされるスケジュール情報に従ってリソースに割り振られる。割振りを構築するために利用される最も低いＣＣＥインデックスは、アップリンク上で肯定応答リソースロケーションを識別するために使用できるＰＤＣＣＨインデックスである。一例によれば、図２に関して上記で説明した１対１のマッピング機構など、１対１のマッピング機構を利用することができる。開示する主題に関連して他の１対１のマッピング機構を使用することができることを諒解されたい。
【００５５】
アップリンク上でＵＥ２０４に割り当てられる一部のリソースブロックは混合リソースブロックとすることができる。混合リソースブロックは、肯定応答の他に他のアップリンク制御シグナリングを含む。混合リソースブロックでは、通常ならば肯定応答のために利用可能なリソース要素は、他の制御情報（たとえば、ＣＱＩなど）に割り当てられる。暗示的マッピングモジュール２０８は、他の制御情報に割り当てられたリソースを回避するために１対１のマッピングをプルーニングすることができる。暗示的マッピングモジュール２０８は、ダウンリンクインデックス（たとえば、ＰＤＣＣＨインデックス）に少なくとも部分的に基づいて肯定応答リソースロケーションを判断する識別モジュール３０２を含む。識別モジュール３０２は、ダウンリンクインデックスとリソースロケーションとの間の暗示的な１対１のマッピングを使用する。たとえば、識別モジュール３０２は、図２を参照しながら上記で説明した暗示的マッピング機構を利用することができる。
【００５６】
暗示的マッピングモジュール２０８は、さらに、リソースロケーションを検証する検証モジュール３０４を含むことができる。検証モジュール３０４は、識別モジュール３０２によって判断されたリソースロケーションが、肯定応答リソース、または他の制御情報のために割り当てられたリソースであるかどうかを確認することができる。検証モジュール３０４は、判断されたリソースロケーションが、有効なリソース（たとえば、肯定応答リソース）であるか、または（たとえば、他の制御情報のために割り当てられた）無効なリソースであるかを示すことができる。さらに、暗示的マッピングモジュール２０８は、無効なロケーションにダウンリンクインデックスがマッピングしていることを検証モジュール３０４が示しているとき、リソースロケーションとダウンリンクインデックスとの間に新しい関連を生成することができる更新モジュール３０６を含む。一例によれば、更新モジュール３０６は、ダウンリンクインデックスよりも大きいが、有効なロケーションにマッピングする最も近接したインデックスを発見することができる。更新モジュール３０６は、発見された有効なロケーションとダウンリンクインデックスがペアにされるような１対１のマッピングを再定義する。別の態様では、識別モジュール３０２、検証モジュール３０４、および更新モジュール３０６は、各連続するダウンリンクインデックスにわたって、各々が一意で有効なリソースロケーションに割り当てられるまで反復することができる。
【００５７】
一態様によれば、スケジューラ２０６はＵＥ２０４を半永続的にスケジュールすることができる。たとえば、スケジューラ２０６は、１つまたは複数のリソースブロックをＵＥ２０４に割り振ることができ、割振りは２つ以上のＴＴＩに対して有効である。半永続的にスケジュールされたデバイスでは、ダウンリンクユーザデータ送信（たとえば、物理ダウンリンク共有チャネル（ＰＤＳＣＨ）上の送信）に対して常にＰＤＣＣＨ送信が伴うわけではない。したがって、ダウンリンク送信は対応するＰＤＣＣＨインデックスに関連付けられないことがあるので、暗示的な１対１のマッピングは使用されない。スケジューラ２０６は、半永続的ユーザのためのスケジュール情報中にアップリンクリソースロケーションを含むことができる。したがって、ＵＥ２０４は、基地局２０２への肯定応答にシグナリングするために利用すべきアップリンクリソースロケーションを識別する永続的マッピングモジュール３１０を含むことができる。永続的マッピングモジュール３１０は、スケジューラ２０６によって生成されたスケジュール情報を分析する抽出モジュール３０８を含むことができる。抽出モジュール３０８は、スケジュール情報中に含まれる明示的リソースロケーションを識別することができる。さらに、抽出モジュール３０８は、スケジュール情報から他の値からリソースロケーションを導き出すことができる。
【００５８】
暗示的マッピングモジュール２０８および永続的マッピングモジュール２１０はリソース衝突を回避するように相互動作することができる。たとえば、２つの異種モバイルデバイスが同時にシングルリソースを利用しようと試みるときに衝突が起こることがある。たとえば、動的にスケジュールされたデバイスは、永続的にスケジュールされたデバイスに明示的に割り当てられたリソースロケーションに暗示的にマッピングできる。さらに、モバイルデバイス（たとえば、ＵＥ２０４）は、あるサブフレーム中では動的にスケジュールし、他のサブフレーム中では永続的にスケジュールできる。
【００５９】
競合を回避するために、あるセグメントは動的にスケジュールされたユーザ用となり、別のセグメントは永続的にスケジュールされたユーザ用となるように、ＵＥ２０４は肯定応答のために使用するリソースをセグメント化することができる。利用可能なすべての肯定応答リソースのセットは２つのサブセットに分割できる。ＵＥ２０４は、永続的にスケジュールされたユーザによる利用のために割り当てられた１つのサブセット中に肯定応答リソースのインデックスを含む永続的インデックス３１０のセットを保持することができる。ＵＥ２０４はまた、動的にスケジュールされたユーザによる利用のために割り当てられた第２のサブセット中にリソースインデックスを含む暗示的インデックス３１２のセットを保持することができる。
【００６０】
永続的マッピングモジュール２１０は、永続的インデックス３１０中に含まれるリソースロケーションを識別する。さらに、暗示的マッピングモジュール２０８は、永続的インデックス３１０中に含まれるインデックスに関連するエントリを削除するために１対１のマッピングをさらにプルーニングすることができる。検証コンポーネント３０４は、リソースロケーションが永続的インデックス３１０中に含まれるときそのリソースロケーションが無効であると示すことができ、更新モジュール３０６は新しいマッピングを割り当てることができる。
【００６１】
次に図４を参照すると、通信システム４００が示されている。システム４００は、動的にスケジュールされたデバイスの存在下で永続的にスケジュールされたデバイスのための肯定応答リソースの割当てを可能にする。システム４００は、上記でさらに詳細に説明したように、基地局２０２と、ＵＥ２０４と、スケジューラ２０６と、暗示的マッピングモジュール２０８と、永続的マッピングモジュール２１０とを含む。
【００６２】
一態様では、スケジューラ２０６は、ＵＥ２０４のためのリソース割振りを選択する割当てモジュール４０２を含むことができる。スケジューラ２０６は、ＵＥ２０４を動的にスケジュールし、ＴＴＩごとにスケジュール情報を提供することができる。スケジュール情報はダウンリンク制御チャネル上で送信でき、ＵＥ２０４に対する制御チャネル情報はダウンリンクインデックスに関連付けられる。暗示的マッピングモジュール２０８は、アップリンクリソースロケーションに暗示的にリンクするためにダウンリンクインデックスを使用する。アップリンクリソースロケーションは、肯定応答インジケータをシグナリングするために利用される。スケジューラ２０６はまた、ＵＥ２０４を永続的にスケジュールすることができる。永続的にスケジュールされるとき、ＵＥ２０４は、２つ以上のＴＴＩに対して有効なままであるスケジュール情報を得る。さらに、割当てモジュール４０２は、肯定応答のためにアップリンクリソースをＵＥ２０４に明示的に割り振ることができる。
【００６３】
一態様によれば、割当てモジュール４０２は、肯定応答リソース間の衝突を回避するためにモバイルデバイス（たとえば、ＵＥ２０４、および他の異種デバイス）間でリソースを割り振ることができる。たとえば、スケジューラ２０６は、永続的にスケジュールされたユーザに割り当てられたリソースと、動的にスケジュールされたユーザに暗示的に割り当てられたリソースとに関する情報を保持することができる。スケジューラ２０６は、永続的リソースインデックス４０４のセット、および暗示的リソースインデックス４０６のセットを保持することができる。肯定応答衝突を避けるために、割当てモジュール４０２は、永続的にスケジュールされたユーザに明示的に割り当てられたリソースに暗示的にリンクするダウンリンクチャネルインデックスの利用を回避することができる。代替的におよび／または並行して、割当てモジュール４０２は、アクティブで動的にスケジュールされたユーザによって暗示的にマッピングされたリソースロケーションを明示的に割り当てることを控えることができる。
【００６４】
図５〜図６を参照すると、アップリンク肯定応答リソース割振りに関係する方法が示されている。説明を簡単にするために、方法を一連の行為として図示し説明するが、いくつかの行為は、１つまたは複数の実施形態によれば、本明細書で図示し説明する順序とは異なる順序で、および／または他の行為と同時に行われるので、方法は行為の順序によって限定されないことを理解および諒解されたい。たとえば、方法は、状態図など、一連の相互に関連する状態または事象として代替的に表現できることを当業者ならば理解し、諒解するであろう。さらに、１つまたは複数の実施形態による方法を実施するために、図示のすべての行為が必要とされるわけではない。
【００６５】
図５を参照すると、暗示的な１対１のマッピングに基づいてアップリンク肯定応答リソースを識別することを可能にする方法５００が示されている。方法５００は、たとえば、肯定応答インジケータのためのアップリンク制御チャネル上のリソースを選択するためにモバイルデバイスによって使用できる。この選択は、スケジュール情報を搬送するために利用されるダウンリンクチャネルインデックスに部分的に基づくことができる。
【００６６】
一態様では、方法５００は参照番号５０２において開始でき、アップリンク制御チャネル上のリソースロケーションを識別するために１対１のマッピングを利用する。たとえば、図２を参照しながら上述した機構と同様の１対１のマッピングを利用することができる。１対１のマッピングは、アップリンク制御チャネル上のリソースロケーションにダウンリンクチャネルインデックスをリンクする。ダウンリンクチャネルインデックスは、たとえば、ダウンリンクユーザデータ送信のスケジュール情報を含むダウンリンク制御チャネルを構築するために利用される最も低い制御チャネル要素のインデックスとすることができる。
【００６７】
参照数字５０４において、リソースロケーションが混合リソースブロック内に含まれるかどうかに関する判断を行う。混合リソースブロックは、肯定応答インジケータに加えて他の制御情報に割り当てられたリソース要素を含むリソースブロックである。リソースロケーションが混合リソースブロック内にない場合、方法５００は参照番号５０６に進み、リソースロケーションは有効であると見なし、リソースブロックとダウンリンクチャネルインデックスとの間のマッピングを維持する。リソースロケーションが混合リソースブロック内にある場合、方法５００は参照番号５０８に進む。５０８において、リソースロケーションが肯定応答インジケータに対して有効であるかどうか検証するためにリソースロケーションを評価する。参照番号５１０において、リソースロケーションが有効であるかどうかに関する判断を行う。はいの場合、方法５００は参照数字５０６に進み、マッピングを保持する。リソースロケーションが無効である（たとえば、他の制御情報用に割り当てられている）場合、方法５００は参照数字５１２に進み、最も近い有効なリソースを発見する。たとえば、新たに発見されるインデックスが有効なリソースに関連付けられるように、１対１のマッピングに関して参照番号５０２において使用されたインデックスよりも大きいダウンリンクインデックスを発見する。有効なリソースが発見されると、参照番号５１４において１対１のマッピングを更新する。たとえば、参照番号５０２において使用された第１のインデックスが、参照番号５１２において発見された有効なリソースにリンクするようにマッピングを再定義する。
【００６８】
一態様では、すべての有効な肯定応答リソースがダウンリンクチャネルインデックスにリンクされるまで方法５００を反復することができる。有効なリソースに以前はリンクされていたが、より低いランキングインデックスに取って代わられたダウンリンクチャネルインデックスは、方法５００によって一意のリソースに再マッピングできることを諒解されたい。
【００６９】
図６を参照すると、アップリンク肯定応答リソースの暗示的および／または明示的な割振りを可能にする方法６００が示されている。方法６００は、たとえば、アップリンク肯定応答リソースを、動的にスケジュールされたモバイルデバイスおよび永続的にスケジュールされたモバイルデバイスに衝突なしに割り振るために、基地局によって使用できる。方法６００は、参照数字６０２において開始でき、スケジューリング要求を取得する。スケジューリング要求は、たとえば、モバイルデバイスによって送信される。参照数字６０４において、スケジューリング要求が取得されたモバイルデバイスを、動的にスケジュールすべきか、または永続的にスケジュールすべきかに関する判断を行う。モバイルデバイスを永続的にスケジュールする場合、アップリンク肯定応答リソースを明示的に割り振る。たとえば、明示的な割振りはスケジュール情報中に含めることができる。参照数字６０４においてモバイルデバイスを動的にスケジュールすべきであると判断された場合、方法６００は参照数字６０８に進む。６０８において、永続的ユーザに明示的に割り振られたリソースのリストを収集する。参照数字６１０において、割振り解除されたリソースに暗示的にリンクされたダウンリンクインデックスを選択する。たとえば、スケジュール情報を搬送するためにダウンリンク制御チャネルを構築するとき、永続的ユーザに明示的に割り振られたリソースに暗示的にリンクしないダウンリンクインデックスを使用する。
【００７０】
本明細書で説明する１つまたは複数の態様によれば、ダウンリンク制御チャネルインデックスを肯定応答リソースロケーションに暗示的にリンクすること、無効なリソースロケーションを識別すること、最も近い有効なリソースを選択すること、１対１のマッピングを更新すること、永続的ユーザに関連するエントリを削除するためにマッピングをプルーニングすること、永続的ユーザとの衝突が回避されるように動的ユーザをスケジュールすることなどに関して推論をなすことができることを諒解されたい。本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたは動作を識別するために使用でき、あるいは、たとえば、状態の確率分布を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、事象が時間的に緊切して相関するか否かにかかわらず、および事象およびデータが１つまたは複数の事象およびデータの発生源に由来するかどうかにかかわらず、観測された事象および／または記憶された事象データのセットから新しい事象または動作が構成される。
【００７１】
図７は、開示する主題の一態様による、ワイヤレス通信システム中でモバイルデバイスに関連付けられた通信を実行するモバイルデバイス７００の図である。モバイルデバイス７００は、マッピングによってアップリンク肯定応答リソースを識別することを可能にすることができる。モバイルデバイス７００は、たとえば、システム１００、システム２００、システム３００、システム４００、方法５００、および方法６００に関して本明細書でより多く説明するようなモバイルデバイス１１６もしくはユーザ機器２０４と同じまたは同様であるとすることができ、および／または、モバイルデバイス１１６もしくはユーザ機器２０４と同じまたは同様の機能を備えることができることを諒解されたい。
【００７２】
モバイルデバイス７００は、たとえば、受信アンテナ（図示せず）から信号を受信する受信機７０２を備えることができ、受信信号に対して典型的な動作（たとえば、フィルタ処理、増幅、ダウンコンバートなど）を実行し、調整された信号をデジタル化してサンプルを得る。受信機７０２は、たとえばＭＭＳＥ受信機とすることができ、受信シンボルを復調し、復調されたシンボルをチャネル推定のためにプロセッサ７０６に供給することができる復調器７０４を備えることができる。プロセッサ７０６は、受信機７０２によって受信された情報の分析および／または送信機７０８による送信のための情報の生成に専用のプロセッサ、モバイルデバイス７００の１つまたは複数の構成要素を制御するプロセッサ、ならびに／あるいは受信機７０２によって受信された情報の分析、送信機７０８による送信のための情報の生成、およびモバイルデバイス７００の１つまたは複数の構成要素の制御を行うプロセッサとすることができる。基地局７００は、たとえば、信号（たとえば、データ、肯定応答インジケータなど）を基地局（たとえば、１０２、２０２）、別のモバイルデバイス（たとえば、１２２）などに送信することを可能にするために、送信機７０８と連携して作動することができる変調器７１０をも備えることができる。たとえば、送信機７０８は、基地局によって明示的に割り振られたかまたは暗示的なマッピングによって識別されたアップリンクリソースにおいて基地局に肯定応答インジケータ（たとえば、ＡＣＫまたはＮＡＫ）を送信するために使用できる。
【００７３】
一態様では、プロセッサ７０６は、肯定応答インジケータ用に利用すべきアップリンク制御チャネル（たとえば、ＰＵＣＣＨ）のリソースロケーションを識別するために１対１のマッピングを使用する暗示的マッピングモジュール２０８に接続できる。この１対１のマッピングは、ダウンリンク制御チャネルインデックス（たとえば、ＰＤＣＣＨインデックス）を肯定応答リソースロケーションにリンクする。一例では、図２を参照しながら上述したマッピングなどの１対１のマッピングを使用することができる。暗示的マッピングモジュール２０８は、ダウンリンクチャネルインデックスを混合リソースブロック中の無効なリソースにリンクするデフォルトエントリを削除するために１対１のマッピングを更新することができる。別の態様では、プロセッサ７０６は、明示的に割り振られたリソースロケーションを識別する永続的マッピングモジュール２１０に接続できる。たとえば、永続的マッピングモジュール２１０は、リソースロケーションを抽出するためにスケジュール情報を評価することができる。一態様では、暗示的マッピングモジュール２０８は、永続的にスケジュールされたユーザに明示的に割り振られたリソースにエントリを消去するために１対１のマッピングをさらに再定義することができる。
【００７４】
モバイルデバイス７００は、メモリ７１２をさらに備えることができ、メモリ７１２は、プロセッサ７０６に動作可能に結合され、送信すべきデータ、受信されたデータ、利用可能なチャネルに関する情報、分析された信号および／または干渉強度に関係するデータ、割り当てられたチャネル、電力、レートなどに関係する情報、ならびにチャネルを推定し、そのチャネルを介して通信するための他の適切な情報を記憶することができる。メモリ７１２は、（たとえば、パフォーマンスベース、容量ベースなどの）チャネルの推定および／または利用に関連するプロトコルおよび／またはアルゴリズムをさらに記憶することができる。本明細書で説明するデータストア（たとえば、メモリ７１２）は、揮発性メモリまたは不揮発性メモリのいずれかとすることができ、あるいは揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。主題のシステムおよび方法のメモリ７１２は、これらおよび他の適切なタイプのメモリを、これらに限定されることなく、備えるものとする。
【００７５】
暗示的マッピングモジュール２０８、永続的マッピングモジュール２１０、およびメモリ７１２はそれぞれ、たとえば、システム２００、システム３００、およびシステム４００に関して本明細書でより十分に説明する構成要素など、それぞれの構成要素と同じまたは同様であるとすることができ、あるいはそれぞれの構成要素と同じまたは同様の機能を備えることができることを諒解し、理解されたい。暗示的マッピングモジュール２０８、永続的マッピングモジュール２１０、およびメモリ７１２は、それぞれ（図示のように）スタンドアロンユニットとすることができ、プロセッサ７０６内に含めることができ、必要に応じて、それらを別の構成要素内に組み込み、および／またはそれらのほとんどどんな好適な組合せ内にも組み込むことができることを、さらに諒解し、理解されたい。
【００７６】
図８は、開示する主題の一態様による、ワイヤレス通信システム中でモバイルデバイスに関連付けられた通信を可能にするシステム８００の図である。システム８００は基地局１０２（たとえば、アクセスポイント、．．．）を備えることができる。基地局１０２は、複数の受信アンテナ８０４を介して１つまたは複数のモバイルデバイス１１６から（１つまたは複数の）信号を受信することができる受信機８０２と、送信アンテナ８０８を介して信号（たとえば、データ）を１つまたは複数のモバイルデバイス１１６に送信することができる送信機８０６とを含むことができる。受信機８０２は、受信アンテナ８０４から情報を受信することができ、受信した情報を復調することができる復調器８１０に動作可能に関連付けできる。復調されたシンボルは、受信機８０２によって受信された情報の分析および／または送信機８０６による送信のための情報の生成に専用のプロセッサ、基地局１０２の１つまたは複数の構成要素を制御するプロセッサ、ならびに／あるいは受信機８０２によって受信された情報の分析、送信機８０６による送信のための情報の生成、および基地局１０２の１つまたは複数の構成要素の制御を行うプロセッサとすることができるプロセッサ８１２によって分析できる。基地局１０２は、たとえば、信号（たとえば、データ）をモバイルデバイス１１６、別のデバイスなどに送信することを可能にするために送信機８０６と連携して作動することができる変調器８１４をも備えることができる。
【００７７】
プロセッサ８１２は、モバイルデバイス１１６にダウンリンクおよびアップリンクリソースを割り振ることができるスケジューラ２０６と接続できる。たとえば、スケジューラ２０６は、ダウンリンク上の１つまたは複数のリソースブロック、およびアップリンク上の１つまたは複数のリソースブロックをモバイルデバイス１１６に割り当てることができる。一態様によれば、スケジューラ２０６は、モバイルデバイス１１６を動的にスケジュールすることができる。動的にスケジュールされたとき、モバイルデバイス１１６は、ＴＴＩごとにスケジュール情報を得る。別の態様によれば、スケジューラ２０６は、モバイルデバイス１１６を半永続的にスケジュールすることができる。たとえば、スケジューラ２０６は、１つまたは複数のリソースブロックをモバイルデバイス１１６に割り振ることができ、割振りは、２つ以上のＴＴＩに対して有効である。モバイルデバイス１１６を半永続的にスケジュールするとき、スケジューラ２０６は肯定応答リソースの明示的割振りを含むことができる。スケジューラ２０６は、明示的に割り当てられたリソースが、ダウンリンク制御チャネルインデックスから暗示的にマッピングされたリソースと一致しないことを保証することができる。たとえば、スケジューラ２０６は、半永続的にスケジュールされたユーザに明示的に割り振られた肯定応答リソースに対応するダウンリンク制御チャネルインデックスを利用することを控えることができる。
【００７８】
基地局１０２は、メモリ８１６をさらに備えることができ、メモリ８１６は、プロセッサ８１２に動作可能に結合され、送信すべきデータ、受信されたデータ、利用可能なチャネルに関係する情報、分析された信号および／または干渉強度に関係するデータ、割り当てられたチャネル、電力、レートなどに関係する情報、ならびにチャネルを推定し、そのチャネルを介して通信するための他の適切な情報を記憶することができる。メモリ８１６は、（たとえば、パフォーマンスベース、容量ベースなどの）チャネルの推定および／または利用に関連するプロトコルおよび／またはアルゴリズムをさらに記憶することができる。
【００７９】
本明細書で説明したメモリ８１６は、揮発性メモリまたは不揮発性メモリのいずれかとすることができ、あるいは揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。主題のシステムおよび方法のメモリ８１６は、これらおよび他の適切なタイプのメモリを、これらに限定されることなく、備えるものとする。
【００８０】
スケジューラ２０６およびメモリ８１６はそれぞれ、たとえば、システム２００、システム３００、およびシステム４００に関して本明細書でより十分に説明するようなそれぞれの構成要素と同じまたは同様であるとすることができ、あるいはそれぞれの構成要素と同じまたは同様の機能を備えることができることを諒解し、理解されたい。スケジューラ２０６およびメモリ８１６は、それぞれ（図示のように）スタンドアロンユニットとすることができ、プロセッサ８１２内に含めることができ、必要に応じて、それらを別の構成要素内に組み込み、および／またはそれらのほとんどどんな好適な組合せ内にも組み込むことができることを、さらに諒解し、理解されたい。
【００８１】
図９に、例示的なワイヤレス通信システム９００を示す。ワイヤレス通信システム９００には、簡潔のために、１つの基地局９１０と、１つのモバイルデバイス９５０とを示してある。ただし、システム９００は、２つ以上の基地局および／または２つ以上のモバイルデバイスを含むことができ、追加の基地局および／またはモバイルデバイスは、以下で説明する例示的な基地局９１０およびモバイルデバイス９５０と実質的に同様または異なるものとすることができることを諒解されたい。さらに、基地局９１０および／またはモバイルデバイス９５０は、それらの間のワイヤレス通信を可能にするために、本明細書で説明するシステム（図１、図２、図３、図４および図７〜図８）および／または方法（図５〜図６）を使用することができることを諒解されたい。
【００８２】
基地局９１０において、いくつかのデータストリームのトラフィックデータがデータソース９１２から送信（ＴＸ）データプロセッサ９１４に供給される。一例によれば、各データストリームは、それぞれのアンテナを介して送信できる。ＴＸデータプロセッサ９１４は、トラフィックデータストリーム用に選択された特定の符号化方式に基づいて、そのデータストリームをフォーマット化し、符号化し、インタリーブして、符号化データを与える。
【００８３】
各データストリームの符号化データは、直交周波数分割多重（ＯＦＤＭ）技法を使用してパイロットデータと多重化できる。追加または代替として、パイロットシンボルは、周波数分割多重化（ＦＤＭ）、時分割多重化（ＴＤＭ）、または符号分割多重化（ＣＤＭ）できる。パイロットデータは、一般に、知られている方法で処理される知られているデータパターンであり、チャネル応答を推定するためにモバイルデバイス９５０において使用できる。各データストリームの多重化されたパイロットおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）して、変調シンボルを与えることができる。各データストリームのデータレート、符号化、および変調は、プロセッサ９３０によって実行または与えられる命令によって判断できる。
【００８４】
データストリームの変調シンボルはＴＸ  ＭＩＭＯプロセッサ９２０に供給され、ＴＸ  ＭＩＭＯプロセッサ９２０は、（たとえば、ＯＦＤＭ用に）変調シンボルをさらに処理することができる。次いで、ＴＸ  ＭＩＭＯプロセッサ９２０はＮＴ 個の変調シンボルストリームをＮＴ個の送信機（ＴＭＴＲ）９２２ａ〜９２２ｔに供給する。様々な実施形態では、ＴＸ  ＭＩＭＯプロセッサ９２０は、データストリームのシンボルと、シンボルの送信元のアンテナとにビームフォーミング重みを適用する。
【００８５】
各送信機９２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。さらに、送信機９２２ａ〜９２２ｔからのＮＴ個の変調信号は、それぞれＮＴ個のアンテナ９２４ａ〜９２４ｔから送信される。
【００８６】
モバイルデバイス９５０では、送信された変調信号はＮＲ個のアンテナ９５２ａ〜９５２ｒによって受信され、各アンテナ９５２からの受信信号は、それぞれの受信機（ＲＣＶＲ）９５４ａ〜９５４ｒに供給される。各受信機９５４は、それぞれの信号を調整（たとえば、フィルタ処理、増幅、およびダウンコンバート）し、調整された信号をデジタル化して、サンプルを与え、さらに、それらのサンプルを処理して、対応する「受信」シンボルストリームを与える。
【００８７】
ＲＸデータプロセッサ９６０は、特定の受信機処理技法に基づいてＮＲ個の受信機９５４からＮＲ個の受信シンボルストリームを受信し、処理して、ＮＴ個の「検出」シンボルストリームを与える。ＲＸデータプロセッサ９６０は、各検出シンボルストリームを復調し、デインタリーブし、復号して、データストリームのトラフィックデータを復元することができる。ＲＸデータプロセッサ９６０による処理は、基地局９１０においてＴＸ  ＭＩＭＯプロセッサ９２０およびＴＸデータプロセッサ９１４によって実行される処理を補足するものである。
【００８８】
プロセッサ９７０は、上述のように、どのプリコーディング行列を利用すべきかを周期的に判断することができる。さらに、プロセッサ９７０は、行列インデックス部分とランク値部分とを備える逆方向リンクメッセージを作成することができる。
【００８９】
逆方向リンクメッセージは、通信リンクおよび／または受信データストリームに関する様々なタイプの情報を備えることができる。逆方向リンクメッセージは、データソース９３６から複数のデータストリームのトラフィックデータをも受信するＴＸデータプロセッサ９３８によって処理され、変調器９８０によって変調され、送信機９５４ａ〜９５４ｒによって調整され、基地局９１０に戻される。
【００９０】
基地局９１０において、モバイルデバイス９５０からの変調信号は、アンテナ９２４によって受信され、受信機９２２によって調整され、復調器９４０によって復調され、ＲＸデータプロセッサ９４２によって処理されて、モバイルデバイス９５０によって送信された逆方向リンクメッセージが抽出される。さらに、プロセッサ９３０は、抽出されたメッセージを処理して、ビームフォーミング重みを判断するためにどのプリコーディング行列を使用すべきかを判断することができる。
【００９１】
プロセッサ９３０および９７０は、それぞれ基地局９１０およびモバイルデバイス９５０における動作を指示（たとえば、制御、調整、管理など）することができる。それぞれのプロセッサ９３０および９７０は、プログラムコードおよびデータを記憶するメモリ９３２および９７２に関連付けできる。プロセッサ９３０および９７０はまた、それぞれ、アップリンクとダウンリンクとに関して周波数推定値とインパルス応答推定値とを導き出すために計算を実行することができる。
【００９２】
本明細書で説明する実施形態は、ハードウェア、ソフトウェア、ファームウェア、ミドルウェア、マイクロコード、またはそれらの任意の組合せで実装できることを理解されたい。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装できる。
【００９３】
実施形態は、ソフトウェア、ファームウェア、ミドルウェアまたはマイクロコード、プログラムコードまたはコードセグメントで実装した場合、記憶構成要素などの機械可読媒体に記憶できる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合できる。情報、引数、パラメータ、データなどは、メモリ共有、メッセージパッシング、トークンパッシング、ネットワーク送信などを含む、適切な手段を使用してパス、フォワーディング、または送信することができる。
【００９４】
ソフトウェア実装の場合、本明細書で説明する技法は、本明細書で説明する機能を実行するモジュール（たとえば、プロシージャ、関数など）を用いて実装できる。ソフトウェアコードは、メモリユニットに記憶し、プロセッサによって実行することができる。メモリユニットは、プロセッサの内部またはプロセッサの外部に実装でき、その場合、当技術分野で知られているように様々な手段によってプロセッサに通信可能に結合できる。
【００９５】
図１０を参照すると、アップリンク肯定応答リソースの識別を可能にするシステム１０００が示されている。たとえば、システム１０００は、少なくとも部分的にモバイルデバイス中に常駐することができる。システム１０００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１０００は、連携して動作することができる電気構成要素の論理グルーピング１００２を含む。たとえば、論理グルーピング１００２は、ダウンリンクチャネルインデックスに基づいてアップリンクリソースロケーションを選択するために１対１のマッピングを採用するための電気構成要素１００４を含むことができる。さらに、論理グルーピング１００２は、選択されたアップリンクリソースを有効なリソースまたは無効なリソースとして識別するための電気構成要素１００６を備えることができる。その上、論理グルーピング１００２は、インデックスと無効なリソースとの間の関連付けを削除するために１対１のマッピングを再定義するための電気構成要素１００８を備えることができる。さらに、システム１０００は、電気構成要素１００４、１００６、および１００８に関連する機能を実行するための命令を保持するメモリ１０１０を含むことができる。メモリ１０１０の外部にあるものとして図示されているが、１つまたは複数の電気構成要素１００４、１００６、および１００８はメモリ１０１０の内部に存在することができることを理解されたい。
【００９６】
図１１を参照すると、１つまたは複数のモバイルデバイスへのアップリンクリソースの割振りを可能にするシステム１１００が示されている。たとえば、システム１１００は、少なくとも部分的に基地局内に常駐することができる。システム１１００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１１００は、連携して動作することができる電気構成要素の論理グルーピング１１０２を含む。たとえば、論理グルーピング１１０２は、全肯定応答リソースのセットを分割するための電気構成要素１１０４を含むことができる。さらに、論理グルーピング１１０２は、第１のサブセットからのリソースを永続的にスケジュールされたモバイルデバイスに割り当てるための電気構成要素１１０６を備えることができる。その上、論理グルーピング１１０２は、ダウンリンクチャネルインデックスを、第２のサブセット中のリソースにマッピングする動的にスケジュールされたデバイスに割り振るための電気構成要素１１０８を備えることができる。論理グルーピング１１０２はまた、第１のサブセットが永続的ユーザに割り当てられていることを、動的にスケジュールされたモバイルデバイスにシグナリングするための電気構成要素１１１０を随意に含むことができる。さらに、システム１１００は、電気構成要素１１０４、１１０６、１１０８、および１１１０に関連付けられた機能を実行するための命令を保持するメモリ１１１２を含むことができる。メモリ１１１２の外部にあるものとして図示されているが、１つまたは複数の電気構成要素１１０４、１１０６、１１０８、および１１１０はメモリ１１１２の内部に存在することができることを理解されたい。
【００９７】
以上の説明は、１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む（include）」という用語は、発明を実施するための形態または特許請求の範囲のいずれかで使用される限り、「備える（comprising）」という用語を使用すると請求項における移行語と解釈されるように「備える（comprising）」と同様に包括的なものとする。
以下本願の出願当初に記載されていた請求項を付記する。
（１）肯定応答リソースの割振りを可能にする方法であって、
以下の行為を実施するためにプロセッサを採用し、
ダウンリンク制御チャネルインデックスに対応するアップリンクリソースロケーションを識別するためにマッピングを利用することと、
有効性を確認するために前記アップリンクリソースロケーションを評価することと、
前記アップリンクリソースロケーションが無効なロケーションであるとき前記マッピングを更新することと
を備える方法。
（２）前記アップリンクリソースロケーションを評価することは、混合リソースブロックが前記アップリンクリソースロケーションをいつ含むかを識別することを備える、（１）に記載の方法。
（３）前記混合リソースブロック中に含まれる前記アップリンクリソースロケーションが、前記混合リソースブロック中で利用可能なリソースロケーションの所定の数内にあることを検証することをさらに備える、（２）に記載の方法。
（４）前記アップリンクリソースロケーションが利用可能なリソースロケーションの前記所定の数よりも大きいとき、前記アップリンクリソースロケーションが無効なロケーションであることを示すことをさらに備える、（３）に記載の方法。
（５）前記アップリンクリソースロケーションがリソースロケーションの前記所定の数内にあるとき、前記アップリンクリソースロケーションが有効なロケーションであることを示すことをさらに備える、（３）に記載の方法。
（６）前記マッピングを更新することが、第２のダウンリンク制御チャネルインデックスを選択することを備え、前記第２のダウンリンク制御チャネルインデックスが、前記アップリンクリソースロケーションを識別するために採用される第１のダウンリンク制御チャネルインデックスよりも大きい、（１）に記載の方法。
（７）前記第２の制御チャネルインデックスが、前記マッピングに基づく有効なリソースロケーションに対応する、（６）に記載の方法。
（８）前記第１のダウンリンク制御チャネルインデックスに関連付けられた前記アップリンクリソースロケーションを識別するために採用された前記インデックスが、前記第２の制御チャネルインデックスによって発見された前記有効なリソースロケーションを用いて更新される、（７）に記載の方法。
（９）前記アップリンクリソースロケーションを評価することが、前記アップリンクリソースロケーションが、永続的にスケジュールされたモバイルデバイスに割り振られたリソースのセットの一部であるかどうかを確認することを備える、（１）に記載の方法。
（１０）肯定応答インジケータをシグナリングするために採用するアップリンクリソースロケーションを選択する識別モジュールであって、前記アップリンクリソースロケーションが、ダウンリンク制御チャネルインデックスへの関連付けに少なくとも部分的に基づいて選択される、識別モジュールと、
前記選択されたアップリンクリソースロケーションが有効な肯定応答リソースであるかどうかを検証する検証モジュールと、
前記選択されたアップリンクリソースロケーションが無効なリソースロケーションに対応するとき、前記ダウンリンク制御チャネルインデックスと異種アップリンクリソースロケーションとの間に新しい関連付けを発生させる更新モジュールと
を備える装置。
（１１）前記識別モジュールが、ダウンリンク制御チャネルインデックスとアップリンクリソースロケーションとの間のあらかじめ定義された１対１のマッピングを採用する、（１０）に記載の装置。
（１２）前記選択されたアップリンクリソースロケーションが混合リソースブロック中の異種制御情報のために割り振られたリソース要素に対応するとき、前記検証モジュールが、前記選択されたアップリンクリソースロケーションを無効なリソースと指定する、（１０）に記載の装置。
（１３）前記選択されたアップリンクリソースロケーションが、永続的にスケジュールされたモバイルデバイスに割り振られたリソース要素に対応するとき、前記検証モジュールが、前記選択されたアップリンクリソースロケーションを無効なリソースと指定する、（１０）に記載の装置。
（１４）前記異種アップリンクリソースロケーションが、動的にスケジュールされたモバイルデバイスからの肯定応答インジケータのために割り振られたリソースロケーションである、（１０）に記載の装置。
（１５）暗示的リソース割振りを可能にするワイヤレス通信装置であって、
ダウンリンク制御チャネルインデックスに対応するアップリンクリソースロケーションを選択するためにダウンリンクインデックスとアップリンクリソースとの間の１対１のマッピングを採用するための手段と、
前記選択されたアップリンクリソースロケーションを有効なリソースロケーションまたは無効なリソースロケーションの少なくとも１つとして識別するための手段と、
ダウンリンク制御チャネルインデックスと無効なリソースロケーションとの間の関連付けを削除するために前記１対１のマッピングを再定義するための手段と
を備えるワイヤレス通信装置。
（１６）前記選択されたアップリンクリソースロケーションが混合リソースブロック中の所定の肯定応答リソースのセットよりも大きいとき、前記選択されたアップリンクリソースロケーションが無効なリソースロケーションである、（１５）に記載のワイヤレス通信装置。
（１７）前記選択されたアップリンクリソースロケーションは、半永続的にスケジュールされたモバイルデバイスが利用するために割り当てられた肯定応答リソースのセット内にあるとき、前記選択されたアップリンクリソースロケーションが無効なリソースである、（１５）に記載のワイヤレス通信装置。
（１８）少なくとも１つのコンピュータに、スケジュール情報が得られる物理ダウンリンク制御チャネル（ＰＤＣＣＨ）インデックスに対応するアップリンクチャネル上の候補肯定応答リソースを識別するために１対１のマッピングを採用させるための符号と、
前記少なくとも１つのコンピュータに、有効性を確認するために前記候補肯定応答リソースを評価させるための符号と、
前記少なくとも１つのコンピュータに、無効なときに前記候補肯定応答リソースを削除するために前記１対１のマッピングを再定義させるための符号と
を備えるコンピュータ可読媒体
を備えるコンピュータプログラム製品。
（１９）前記少なくとも１つのコンピュータに候補肯定応答リソースを評価させるための前記符号が、前記少なくとも１つのコンピュータに、前記候補肯定応答リソースが混合リソースブロック中にいつ含まれるかを識別させるための符号を備える、（１８）に記載のコンピュータプログラム製品。
（２０）前記少なくとも１つのコンピュータに候補肯定応答リソースを評価させるための前記符号が、前記少なくとも１つのコンピュータに、前記混合リソースブロック中の前記候補肯定応答リソースが利用可能な肯定応答リソースの所定のセット内にあることを検証させるための符号をさらに備える、（１９）に記載のコンピュータプログラム製品。
（２１）前記少なくとも１つのコンピュータに候補肯定応答リソースを評価させるための前記符号が、前記少なくとも１つのコンピュータに、前記候補肯定応答リソースが前記所定のセット中に含まれないとき、前記候補肯定応答リソースが無効であることを示させるための符号をさらに備える、（２０）に記載のコンピュータプログラム製品。
（２２）前記少なくとも１つのコンピュータに候補肯定応答リソースを評価させるための前記符号が、前記少なくとも１つのコンピュータに、前記候補肯定応答リソースが前記所定のセット中に含まれるとき、前記候補肯定応答リソースが有効であることを示させるための符号をさらに備える、（２０）に記載のコンピュータプログラム製品。
（２３）前記少なくとも１つのコンピュータに候補肯定応答リソースを評価させるための前記符号が、前記少なくとも１つのコンピュータに、前記候補肯定応答リソースが、永続的にスケジュールされたモバイルデバイスに割り振られたリソースのセットの一部であるかどうかを確認させるための符号をさらに備える、（１８）に記載のコンピュータプログラム製品。
（２４）前記少なくとも１つのコンピュータに前記１対１のマッピングを再定義させるための前記符号が、
前記少なくとも１つのコンピュータに、無効な候補肯定応答リソースに対応する第１のＰＤＣＣＨインデックスを識別させるための符号と、
前記少なくとも１つのコンピュータに、有効な候補肯定応答リソースに対応する、前記第１のＰＤＣＣＨインデックスよりも大きい第２のＰＤＣＣＨインデックスを発見させるための符号と、
前記第１のＰＤＣＣＨインデックスが前記第２のＰＤＣＣＨインデックスに対応する前記有効な候補肯定応答リソースに関連付けられるように、前記少なくとも１つのコンピュータに前記１対１のマッピングを更新させるための符号と
を備える、（１８）に記載のコンピュータプログラム製品。
（２５）特定のＰＤＣＣＨインデックスに対応する候補肯定応答リソースを選択するために物理ダウンリンク制御チャネル（ＰＤＣＣＨ）インデックスと物理アップリンク制御チャネル（ＰＵＣＣＨ）リソースとの間の１対１のマッピングを利用し、
前記候補肯定応答リソースを有効なリソースまたは無効なリソースの１つとして示し、
ＰＤＣＣＨインデックスと無効なリソースとの間の関連付けを削除するために前記１対１のマッピングを修正する
ように構成されたプロセッサ
を備えるワイヤレス通信装置。
（２６）前記候補肯定応答リソースが混合リソースブロック中の所定の肯定応答リソースのセット内にあるとき、前記候補肯定応答リソースが有効なリソースである、（２５）に記載のワイヤレス通信装置。
（２７）前記候補肯定応答リソースは、半永続的にスケジュールされたモバイルデバイスが利用するために割り当てられた肯定応答リソースのセット内にあるとき、前記候補肯定応答リソースが無効なリソースである、（２５）に記載のワイヤレス通信装置。
（２８）前記候補肯定応答リソースが混合リソースブロック中の所定の肯定応答リソースのセットのメンバーではないとき、前記候補肯定応答リソースが無効なリソースである、（２５）に記載のワイヤレス通信装置。
（２９）前記プロセッサが、前記１対１のマッピングを修正するために、
無効な候補肯定応答リソースに対応する第１のＰＤＣＣＨインデックスを識別し、
有効な候補肯定応答リソースに対応する、前記第１のＰＤＣＣＨインデックスよりも大きい第２のＰＤＣＣＨインデックスを発見し、
前記第１のＰＤＣＣＨインデックスが、前記第２のＰＤＣＣＨインデックスに対応する前記有効な候補肯定応答リソースに関連付けられるように、前記１対１のマッピングを更新する
ようにさらに構成された、（２５）に記載のワイヤレス通信装置。
（３０）アップリンク肯定応答リソースを割り振ることを可能にする方法であって、
利用可能な全肯定応答リソースのセットを第１のサブセットと第２のサブセットとに分割することと、
前記第１のサブセットからのリソースを永続的にスケジュールされたモバイルデバイスに割り当てることと、
ダウンリンク制御チャネルインデックスを、前記第２のサブセット中のリソースに暗示的にマッピングする動的にスケジュールされたモバイルデバイスに割り振ることと
を備える方法。
（３１）前記第１のサブセットが、永続的にスケジュールされたモバイルデバイスに割り当てられたリソースを含むことを、前記動的にスケジュールされたモバイルデバイスに示すことをさらに備える、（３０）に記載の方法。
（３２）利用可能な全肯定応答リソースのセットを第１のサブセットと第２のサブセットとに分割することと、前記第１のサブセットからのリソースを永続的にスケジュールされたモバイルデバイスに割り当てることと、ダウンリンク制御チャネルインデックスを、前記第２のサブセット中のリソースに暗示的にマッピングする動的にスケジュールされたモバイルデバイスに割り振ることとに関係する命令を保持するメモリと、
前記メモリに結合され、前記メモリ中に保持された命令を実行するように構成されたプロセッサと
を備える装置。
（３３）前記メモリは、前記第１のサブセットが、永続的にスケジュールされたモバイルデバイスに割り当てられたリソースを含むことを、前記動的にスケジュールされたモバイルデバイスにシグナリングすることをさらに備える、（３２）に記載の装置。
（３４）アップリンクリソースを割り振ることを可能にするワイヤレス通信装置であって、
利用可能な全肯定応答リソースのセットを第１のサブセットと第２のサブセットとに分割するための手段と、
前記第１のサブセットからのリソースを永続的にスケジュールされたモバイルデバイスに割り当てるための手段と、
ダウンリンク制御チャネルインデックスを、前記第２のサブセット中のリソースに暗示的にマッピングする動的にスケジュールされたモバイルデバイスに割り振るための手段と
を備えるワイヤレス通信装置。
（３５）前記第１のサブセットが、永続的にスケジュールされたモバイルデバイスに割り当てられたリソースを含むことを、前記動的にスケジュールされたモバイルデバイスにシグナリングするための手段をさらに備える、（３４）に記載のワイヤレス通信装置。
（３６）少なくとも１つのコンピュータに、利用可能な全肯定応答リソースのセットを第１のサブセットと第２のサブセットとに分割させるための符号と、
前記少なくとも１つのコンピュータに、前記第１のサブセットからのリソースを永続的にスケジュールされたモバイルデバイスに割り当てさせるための符号と、
前記少なくとも１つのコンピュータに、ダウンリンク制御チャネルインデックスを、前記第２のサブセット中のリソースに暗示的にマッピングする動的にスケジュールされたモバイルデバイスに割り振らせるための符号と
を備えるコンピュータ可読媒体
を備えるコンピュータプログラム製品。
（３７）前記コンピュータ可読媒体は、前記少なくとも１つのコンピュータに、前記第１のサブセットが、永続的にスケジュールされたモバイルデバイスに割り当てられたリソースを含むことを、前記動的にスケジュールされたモバイルデバイスに示させるための符号をさらに備える、（３６）に記載のコンピュータプログラム製品。
（３８）利用可能な全肯定応答リソースのセットを第１のサブセットと第２のサブセットとに分割し、
前記第１のサブセットからのリソースを永続的にスケジュールされたモバイルデバイスに割り当て、
ダウンリンク制御チャネルインデックスを、前記第２のサブセット中のリソースに暗示的にマッピングする動的にスケジュールされたモバイルデバイスに割り振り、
前記第１のサブセットが、永続的にスケジュールされたモバイルデバイスに割り当てられたリソースを含むことを、前記動的にスケジュールされたモバイルデバイスにシグナリングするように構成されたプロセッサを備えるワイヤレス通信装置。
【図１】
0005431447.tif 000006
【図２】
0005431447.tif 000007
【図３】
0005431447.tif 000008
【図４】
0005431447.tif 000009
【図５】
0005431447.tif 000010
【図６】
0005431447.tif 000011
【図７】
0005431447.tif 000012
【図８】
0005431447.tif 000013
【図９】
0005431447.tif 000014
【図１０】
0005431447.tif 000015
【図１１】
0005431447.tif 000016